(57)【要約】  ディスプレイ装置は、折り畳み可能なディスプレイ構造を形成するために、それぞれが互いにヒンジ連結された複数のディスプレイユニットであって、各ディスプレイユニットは、ユーザー入力能力を有するディスプレイスクリーン、バッテリ及び無線トランシーバを含む、複数のディスプレイユニットと、マウントユニットであって、前記ディスプレイユニットが該マウントユニット内で折り畳まれた場合に、前記ディスプレイユニットを受容及び保持するように適合され、該マウントユニットは、前記ディスプレイユニットが前記マウントユニット内で受容及び保持されている場合に、前記ディスプレイユニットのバッテリを再充電するように構成された電力アレンジメントと、前記ディスプレイユニットのそれぞれの無線トランシーバと通信するための第１の無線トランシーバと、通信ネットワークを介して通信するための通信アレンジメントとをさらに含む、マウントユニットと、を含み、前記ディスプレイユニットは、前記マウントユニットから分離して使用するために、前記マウントユニット内から取り外し可能である。
2021509182.tif 000002
【特許請求の範囲】
【請求項１】
折り畳み可能なディスプレイ構造を形成するために、それぞれが互いにヒンジ連結された複数のディスプレイユニットであって、該ディスプレイユニットのそれぞれは、ユーザー入力能力を備えたディスプレイスクリーン、バッテリ及び無線トランシーバを含む、複数のディスプレイユニットと、
マウントユニットであって、前記ディスプレイユニットが該マウントユニット内で折り畳まれた場合に、前記ディスプレイユニットを受容及び保持するように適合され、該マウントユニットは、前記ディスプレイユニットが前記マウントユニット内で受容及び保持された場合に、前記ディスプレイユニットのバッテリを再充電するように構成された電力アレンジメントと、前記ディスプレイユニットのそれぞれの無線トランシーバと通信するための第１の無線トランシーバと、通信ネットワークを介して通信するための通信アレンジメントとをさらに含む、マウントユニットと、
を含むディスプレイ装置であって、
前記ディスプレイユニットは、前記マウントユニットから分離して使用するために、前記マウントユニット内から取り外し可能である、ディスプレイ装置。
【請求項２】
前記マウントユニットの第１の無線トランシーバ及び前記ディスプレイユニットのそれぞれの無線トランシーバは、短距離無線トランシーバである、請求項１に記載のディスプレイ装置。
【請求項３】
前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、請求項１又は２に記載のディスプレイ装置。
【請求項４】
ユーザー入力能力を備えた前記ディスプレイスクリーンは、タッチスクリーンディスプレイを含む、請求項１乃至３のいずれか一項に記載のディスプレイ装置。
【請求項５】
互いにヒンジ連結された少なくとも３つのディスプレイユニットを含み、該ディスプレイユニットは積み重ねた構成に折り畳み可能である、請求項１乃至４のいずれか一項に記載のディスプレイ装置。
【請求項６】
前記ディスプレイユニットは、交互に折り畳まれた構成に折り畳むことができる、請求項５に記載のディスプレイ装置。
【請求項７】
前記ディスプレイユニットは、着脱自在に互いに連結される、請求項１乃至６のいずれか一項に記載のディスプレイ装置。
【請求項８】
前記マウントユニットは、前記マウントユニット内に前記ディスプレイユニットが収容されるように前記ディスプレイユニットを受容及保持するために、前記マウントユニットの側面に沿ってスロットを含む、請求項１乃至７のいずれか一項に記載のディスプレイ装置。
【請求項９】
前記ディスプレイ装置は携帯及びハンドヘルド型である、請求項１乃至８のいずれか一項に記載のディスプレイ装置。
【請求項１０】
前記ディスプレイユニットのうちの少なくとも１つはフレキシブルディスプレイユニットであり、前記マウントユニットは、前記少なくとも１つのフレキシブルディスプレイユニットが前記マウントユニット内で受容及び保持された場合に強固に支持するために剛性を有する、請求項１乃至９のいずれか一項に記載のディスプレイ装置。
【請求項１１】
前記ディスプレイユニットのうちの少なくとも１つは、前記ディスプレイユニットの一端に沿って、前記バッテリ、前記第１の無線トランシーバ、ディスプレイプロセッサ及び他の電子部品を剛性な構成で含む、請求項１０に記載のディスプレイ装置。
【請求項１２】
前記ディスプレイユニットのうちの少なくとも１つの少なくとも周縁部を受容及び保持するためのディスプレイフレーム構造を含み、該ディスプレイフレーム構造は、互いに及び/又は前記ディスプレイユニットのうちの少なくとも１つの他のディスプレイユニットにヒンジ接続されるように構成されている、請求項１乃至９のいずれか一項に記載のディスプレイ装置。
【請求項１３】
少なくとも１つのディスプレイユニットであって、ユーザー入力機能を備えたディスプレイスクリーン、バッテリ及び無線トランシーバを含む、少なくとも１つのディスプレイユニットと、
前記ディスプレイユニットの少なくとも周縁部を受容及び支持するためのディスプレイフレーム構造と、
マウントユニットであって、該マウントユニットは、該マウントユニット内で前記ディスプレイフレーム構造を受容及び保持するように構成され、該マウントユニットは、前記ディスプレイユニットが前記マウントユニット内で受容された場合に、前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、
を含むディスプレイ装置であって、
前記ディスプレイユニットは、前記マウントユニットから分離して使用するために、前記マウントユニット内から取り外し可能である、ディスプレイ装置。
【請求項１４】
前記マウントユニットの第１の無線トランシーバ及び前記ディスプレイユニットの無線トランシーバは、短距離無線トランシーバである、請求項１３に記載のディスプレイ装置。
【請求項１５】
前記通信アレンジメントは、無線通信のための第２の無線トランシーバを含み、前記マウントユニットの第１の無線トランシーバ及び前記ディスプレイユニットの無線トランシーバは、前記第２の無線トランシーバよりも短距離のものである、請求項１３又は１４に記載のディスプレイ装置。
【請求項１６】
前記ディスプレイフレーム構造は複数のフレームを含み、各フレームは前記ディスプレイユニットを受容及び支持するためのものであり、折り畳み可能なフレーム構造を形成するために互いにヒンジ連結されている、請求項１３乃至１５のいずれか一項に記載のディスプレイ装置。
【請求項１７】
互いにヒンジ連結された少なくとも３つのディスプレイフレームを含み、該フレームは、前記マウントユニット内で受容及び保持されるように積み重ねた構成に折り畳むことができる、請求項１６に記載のディスプレイ装置。
【請求項１８】
前記フレームは、交互に折り畳まれた構成に折り畳むことができる、請求項１７に記載のディスプレイ装置。
【請求項１９】
前記フレームは、着脱自在に互いに連結されている、請求項１６乃至１８のいずれか一項に記載のディスプレイ装置。
【請求項２０】
前記マウントユニットは、前記マウントユニット内で前記ディスプレイフレーム構造を受容及び保持するために、前記マウントユニットの側面に沿ってスロットを含む、請求項１３乃至１９のいずれか一項に記載のディスプレイ装置。
【請求項２１】
前記ディスプレイフレーム構造は調節可能な取り付けアレンジメントを含み、該調節可能な取り付けアレンジメントは、少なくとも１つのサイズの異なるディスプレイユニットを内部に適合させるために調節可能である、請求項１３〜２０のいずれか一項に記載のディスプレイ装置。
【請求項２２】
前記少なくとも１つのディスプレイユニットのうちの少なくとも１つはフレキシブルディスプレイであり、前記ディスプレイフレーム構造は該フレキシブルディスプレイを支持して平坦な形状を維持する、請求項１３〜２１のいずれか一項に記載のディスプレイ装置。
【請求項２３】
複数のディスプレイユニットであって、該ディスプレイユニットのそれぞれは、ユーザー入力能力を備えたディスプレイスクリーン、バッテリ及び無線トランシーバを含む、複数のディスプレイユニットと、
前記ディスプレイユニットのそれぞれの少なくとも周縁部を受容及び支持するためのディスプレイフレーム構造を含むマウントユニットであって、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、
を含むディスプレイ装置であって、
前記ディスプレイユニットは、前記マウントユニットから分離して使用するために、前記マウントユニットから取り外し可能である、ディスプレイ装置。
【請求項２４】
前記マウントユニットの第１の無線トランシーバ及び前記ディスプレイユニットのそれぞれの無線トランシーバは、短距離無線トランシーバである、請求項２３に記載のディスプレイ装置。
【請求項２５】
前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、請求項２３又は２４に記載のディスプレイ装置。
【請求項２６】
前記ディスプレイフレーム構造は複数のフレームを含み、各フレームはディスプレイユニットを受容及び支持するためのものであり、折り畳み可能なフレーム構造を形成するために互いにヒンジ連結されている、請求項２３〜２５のいずれか一項に記載のディスプレイ装置。
【請求項２７】
互いにヒンジ連結された少なくとも３つのディスプレイフレームを含み、該フレームは、積み重ねた構成に折り畳むことができる、請求項２６に記載のディスプレイ装置。
【請求項２８】
前記フレームは、交互に折り畳まれた構成に折り畳むことができる、請求項２７に記載のディスプレイ装置。
【請求項２９】
前記フレームは、着脱自在に互いに連結されている、請求項２６〜２８のいずれか一項に記載のディスプレイ装置。
【請求項３０】
前記ディスプレイフレーム構造は調節可能な取り付けアレンジメントを含み、該調節可能な取り付けアレンジメントは、サイズの異なるディスプレイユニットを内部に適合させるために調節可能である、請求項２３〜２９のいずれか一項に記載のディスプレイ装置。
【請求項３１】
前記少なくとも１つのディスプレイユニットのうちの少なくとも１つはフレキシブルディスプレイであり、前記ディスプレイフレーム構造は該フレキシブルディスプレイを支持して平坦な形状を維持する、請求項２３〜３０のいずれか一項に記載のディスプレイ装置。
【請求項３２】
複数のディスプレイユニットであって、該ディスプレイユニットのそれぞれは、ユーザー入力能力を備えたディスプレイスクリーン、バッテリ及び無線トランシーバを含む、ディスプレイユニットと、
ヒンジ領域と、該ヒンジ領域にヒンジ接続される複数のフレームとを含むマウントユニットであって、該フレームのそれぞれは、ディスプレイユニットを受容及び保持するように構成され、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、
を含むディスプレイ装置であって、
前記ディスプレイユニットは、前記マウントユニットから分離して使用するために、前記マウントユニット内から取り外し可能である、ディスプレイ装置。
【請求項３３】
前記マウントユニットの第１の無線トランシーバ及び前記ディスプレイユニットのそれぞれの無線トランシーバは、短距離無線トランシーバである、請求項３２に記載のディスプレイ装置。
【請求項３４】
前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、請求項３２又は３３に記載のディスプレイ装置。
【請求項３５】
前記複数のフレームのうちの少なくとも１つは、サイズの異なるディスプレイユニットを内部に適合させるために調節可能である、請求項３２〜３４のいずれか一項に記載のディスプレイ装置。
【請求項３６】
前記少なくとも１つのディスプレイユニットのうちの少なくとも１つはフレキシブルディスプレイであり、前記フレームの少なくとも１つは該フレキシブルディスプレイを支持して平坦な形状を維持する、請求項３２〜３５のいずれか一項に記載のディスプレイ装置。
【請求項３７】
前記フレームのうちの少なくとも1つは、前記ヒンジ領域から取り外し可能である、請求項３２乃至３６のいずれか一項に記載のディスプレイ装置。
【請求項３８】
少なくとも１つのディスプレイユニットであって、該ディスプレイユニットは、ユーザー入力能力を備えたディスプレイスクリーン、バッテリ及び無線トランシーバを含む、少なくとも１つのディスプレイユニットと、
マウントユニットであって、該マウントユニットは内部に収容された前記ディスプレイユニットを受容及び保持し、該マウントユニットは、前記少なくとも１つのディスプレイユニットが該マウントユニットに収容されて受容及び保持された場合に前記ディスプレイユニットのバッテリを再充電するように構成された電力アレンジメントと、前記少なくとも１つのディスプレイユニットの無線トランシーバと通信するための第１の無線トランシーバと、通信ネットワークを介して通信するための通信アレンジメントとをさらに含む、マウントユニットと、
を含むディスプレイ装置であって、
前記少なくとも１つのディスプレイユニットは、前記マウントユニットから分離して使用するために、前記マウントユニット内から取り外し可能である、ディスプレイ装置。
【請求項３９】
前記マウントユニットは、前記マウントユニット内に前記ディスプレイユニットを挿入のために、前記マウントユニットの側面に沿って少なくとも１つのスロットを含む、請求項３８に記載のディスプレイ装置。
【請求項４０】
前記マウントユニットは第１のパーツ及び第２のパーツを含み、該第１のパーツ及び該第２のパーツは、前記ディスプレイユニットを前記マウントユニット内に挿入するために分離可能である、請求項３８に記載のディスプレイ装置。
【請求項４１】
前記マウントユニットの第１の無線トランシーバ及び前記ディスプレイユニットの無線トランシーバは、短距離無線トランシーバである、請求項３８乃至４０のいずれか一項に記載のディスプレイ装置。
【請求項４２】
前記通信アレンジメントは、無線通信のための第２の無線トランシーバを含み、前記マウントユニットの第１の無線トランシーバ及び前記ディスプレイユニットの無線トランシーバは、前記第２の無線トランシーバよりも短距離のものである、請求項３８乃至４１のいずれか一項に記載のディスプレイ装置。
【請求項４３】
前記ディスプレイ装置は携帯及びハンドヘルド型である、請求項３８乃至４２のいずれか一項に記載のディスプレイ装置。
【請求項４４】
前記マウントユニットは、内部に収容された前記少なくとも１つのディスプレイユニットを排出する排出機構を含む、請求項３８乃至４３のいずれか一項に記載のディスプレイ装置。
【請求項４５】
前記少なくとも１つのディスプレイユニットのうちの少なくとも１つの少なくとも周縁部を受容及び保持するためのディスプレイフレーム構造を含む、請求項３８乃至４４のいずれか一項に記載のディスプレイ装置。
【請求項４６】
前記ディスプレイフレーム構造は少なくとも１つのフレームを含み、該フレームは、各ディスプレイユニットを支持するためのものである、請求項４５に記載のディスプレイ装置。
【請求項４７】
前記ディスプレイフレーム構造は調節可能な取り付けアレンジメントを含み、該調節可能な取り付けアレンジメントは、異なるサイズのディスプレイユニットを内部に適合させるために調節可能である、請求項４５又は４６に記載のディスプレイ装置。
【請求項４８】
前記少なくとも１つのディスプレイユニットのうちの少なくとも１つはフレキシブルディスプレイであり、前記少なくとも１つのディスプレイフレームのうちの１つは各フレキシブルディスプレイを支持して平坦な形状を維持する、請求項４６に記載のディスプレイ装置。
【請求項４９】
ディスプレイ装置であって、当該ディスプレイ装置は複数のディスプレイユニットを含み、
該ディスプレイユニットのそれぞれは、
少なくとも１つの他のディスプレイが隣接して配置された場合に検出する検出器アレンジメントと、
少なくとも１つの隣接するディスプレイユニットにディスプレイ同期情報を通信する無線トランシーバと、
前記ディスプレイユニットを制御して、連続する情報部分を含む情報を表示させ、前記隣接するディスプレイユニットに連続する情報部分として情報部分を表示させるように構成されたディスプレイコントローラと、
を含む、ディスプレイ装置。
【請求項５０】
前記ディスプレイユニットのそれぞれの検出器アレンジメントは、前記ディスプレイユニットに対して隣接するディスプレイユニットが隣接して再配置されたことを検出するように構成され、前記ディスプレイコントローラは、前記ディスプレイユニットを制御して情報部分を表示させ、隣接するディスプレイユニットに情報を増分又は減分された連続する情報部分として表示させるように構成されている、請求項４９に記載のディスプレイ装置。
【請求項５１】
２つのディスプレイユニットを含む、請求項４９又は５０に記載のディスプレイ装置。
【請求項５２】
前記ディスプレイユニットは隣り合って位置し、第１のディスプレイユニットが第２のディスプレイユニットの一方側から該第２のディスプレイユニットの反対側に動かされた場合、該第１のディスプレイユニットのディスプレイコントローラは該第１のディスプレイユニットを制御して、前記表示されている情報部分を、該第２のディスプレイユニットによって表示されている情報部分に先行する情報部分から、該第２のディスプレイユニットによって表示されている情報部分に続く情報部分に変更するように構成されている、請求項４９乃至５１のいずれか一項に記載のディスプレイ装置。
【請求項５３】
前記ディスプレイユニットは隣り合って位置し、第１のディスプレイユニットが第２のディスプレイユニットの一方側から該第２のディスプレイユニットの反対側に動かされた場合、該第２のディスプレイユニットのディスプレイコントローラは該第２のディスプレイユニットを制御して、前記連続する情報部分のうちの表示されている情報部分を増分するように構成され、該第１のディスプレイユニットのディスプレイコントローラは、該第１のディスプレイユニットを制御して、前記表示されている情報を、該第２のディスプレイユニットによって表示されている増分された情報部分に続く情報部分に変更するように構成されている、請求項４９乃至５１のいずれか一項に記載のディスプレイ装置。
【請求項５４】
前記ディスプレイユニットのうちの少なくとも１つは両面型であり、該両面ディスプレイユニットの両面のうちのいずれかの上側を向いた面で情報を表示するように構成され、
前記ディスプレイユニットのうちの前記少なくとも１つは、前記ディスプレイユニットの上側を向いた面が変化したことを検出する検出アレンジメントを含み、
前記少なくとも１つの両面ディスプレイユニットのディスプレイコントローラは、前記検出アレンジメントによる検出に対応して、前記両面ディスプレイユニットを制御し増分又は減分された情報部分を表示させるように構成されている、請求項４９乃至５１のいずれか一項に記載のディスプレイ装置。
【請求項５５】
前記ディスプレイユニットは隣り合って位置し、第２の両面ディスプレイユニットが第１のディスプレイユニットの一方側から該第１のディスプレイユニットの反対側に動かされてひっくり返されると、前記第２のディスプレイユニットのディスプレイコントローラは前記第２のディスプレイユニットを制御して上側を向いた面に、他方の面で表示されていた情報部分に続く情報部分を表示させるように構成され、前記第１のディスプレイユニットのディスプレイコントローラは、表示されている情報部分を、前記第２のディスプレイユニットによって表示されている情報部分に先行する情報部分から、前記第２のディスプレイユニットによって現在表示されている情報部分に続く情報部分に変更するように構成されている、請求項５４に記載のディスプレイ装置。
【請求項５６】
ディスプレイコントローラは、前記ディスプレイユニットを制御して、隣接するディスプレイユニット上で連続するページの情報を表示させるように構成されている、請求項４９乃至５５のいずれか一項に記載のディスプレイ装置。
【請求項５７】
ディスプレイユニットであって、
第１の面にある第１のディスプレイと、
第２の面にある第２のディスプレイと、
前記第１のディスプレイ又は前記第２のディスプレイが上側を向くように当該ディスプレイユニットがひっくり返されたことを検出する検出アレンジメントと、
前記検出アレンジメントの検出に対応して、前記第１のディスプレイ及び前記第２のディスプレイを制御して、前記第１のディスプレイ又は前記第２のディスプレイが上側を向いている場合に連続する情報部分の第１の情報部分を前記第１のディスプレイ又は第２のディスプレイのうちの一方に表示させ、前記第１の情報部分に対して増分又は減分された第２の情報部分を前記第１のディスプレイ及び前記第２のディスプレイのうちの他方に表示させるディスプレイコントローラと、
を含む、ディスプレイユニット。
【請求項５８】
前記検出ユニットは、前記ディスプレイユニットの回転される方向を検出するように構成され、前記ディスプレイコントローラは、第１の方向に回転されたことを前記検出ユニットが検出した場合に増分された前記第２の部分を表示させ、第２の方向に回転されたことを前記検出ユニットが検出した場合に減分された前記第２の部分を表示させるように構成されている、請求項５７に記載のディスプレイユニット。
【請求項５９】
前記第１の方向及び第２の方向は反対方向である、請求項５８に記載のディスプレイユニット。
【発明の詳細な説明】
【技術分野】
【０００１】
本発明はディスプレイ装置に関する。
【背景技術】
【０００２】
ディスプレイ装置は、携帯電話やタブレットコンピュータ装置といった携帯装置等幅広い装置において用いられている。携帯装置の設計者にとっての課題は、軽量で、バッテリ効率が良く、簡便に用いることできるディスプレイ装置を設計することである。
【発明の概要】
【課題を解決するための手段】
【０００３】
本発明は、折り畳み可能なディスプレイ構造を形成するために、それぞれが互いにヒンジ連結された複数のディスプレイユニットであって、該ディスプレイユニットのそれぞれは、ユーザー入力能力を備えたディスプレイスクリーン、バッテリ及び無線トランシーバを含む、複数のディスプレイユニットと、マウントユニットであって、前記ディスプレイユニットが該マウントユニット内で折り畳まれた場合に、前記ディスプレイユニットを受容及び保持するように適合され、該マウントユニットは、前記ディスプレイユニットが前記マウントユニット内で受容及び保持された場合に、前記ディスプレイユニットのバッテリを再充電するように構成された電力アレンジメントと、前記ディスプレイユニットのそれぞれの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニット内から取り外し可能である、ディスプレイ装置を提供する。
【０００４】
本発明はまた、少なくとも１つのディスプレイユニットであって、該ディスプレイユニットは、ユーザー入力機能を備えたディスプレイスクリーン、バッテリ及び無線トランシーバを含む、少なくとも１つのディスプレイユニットと、前記ディスプレイユニットの少なくとも周縁部を受容及び支持するためのディスプレイフレーム構造と、マウントユニットであって、該マウントユニットは、該マウントユニット内で前記ディスプレイフレーム構造を受容及び保持するように構成され、該マウントユニットは、前記ディスプレイユニットが前記マウントユニット内で受容された場合に、前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニットから取り外し可能である、ディスプレイ装置を提供する。
【０００５】
本発明はまた、複数のディスプレイユニットであって、該ディスプレイユニットのそれぞれは、ユーザー入力能力を備えたディスプレイスクリーン、バッテリ及び無線トランシーバを含む、複数のディスプレイユニットと、前記ディスプレイユニットのそれぞれの少なくとも周縁部を受容及び支持するためのディスプレイフレーム構造を含むマウントユニットであって、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニットから取り外し可能である、ディスプレイ装置を提供する。
【０００６】
本発明はまた、複数のディスプレイユニットであって、該ディスプレイユニットのそれぞれは、ユーザー入力能力を備えたディスプレイスクリーン、バッテリ及び無線トランシーバを含む、ディスプレイユニットと、ヒンジ領域と、該ヒンジ領域にヒンジ接続される複数のフレームとを含むマウントユニットであって、該フレームのそれぞれは、ディスプレイユニットを受容及び保持するように構成され、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニット内から取り外し可能である、ディスプレイ装置を提供する。
【０００７】
本発明はまた、少なくとも１つのディスプレイユニットであって、該ディスプレイユニットは、ユーザー入力能力を備えたディスプレイスクリーン、バッテリ及び無線トランシーバを含む、少なくとも１つのディスプレイユニットと、マウントユニットであって、該マウントユニットは内部に収容された前記ディスプレイユニットを受容及び保持し、該マウントユニットは、前記少なくとも１つのディスプレイユニットが該マウントユニットに収容されて受容及び保持された場合に前記ディスプレイユニットのバッテリを再充電するように構成された電力アレンジメントと、前記少なくとも１つのディスプレイユニットの無線トランシーバと通信するための第１の無線トランシーバと、通信ネットワークを介して通信するための通信アレンジメントとをさらに含む、マウントユニットと、を含むディスプレイ装置であって、前記少なくとも１つのディスプレイユニットは、前記マウントユニットから分離して使用するために、前記マウントユニット内から取り外し可能である、ディスプレイ装置を提供する。
【０００８】
本発明はまた、ディスプレイ装置であって、当該ディスプレイ装置は複数のディスプレイユニットを含み、該ディスプレイユニットのそれぞれは、少なくとも１つの他のディスプレイが隣接して配置された場合に検出する検出器アレンジメントと、少なくとも１つの隣接するディスプレイユニットにディスプレイ同期情報を通信する無線トランシーバと、前記ディスプレイユニットを制御して、連続する情報部分を含む情報を表示させ、前記隣接するディスプレイユニットに連続する情報部分として情報部分を表示させるように構成されたディスプレイコントローラと、を含む、ディスプレイ装置を提供する。
【０００９】
本発明はまた、ディスプレイユニットであって、第１の面にある第１のディスプレイと、第２の面にある第２のディスプレイと、前記第１のディスプレイ又は前記第２のディスプレイが上側を向くように当該ディスプレイユニットがひっくり返されたことを検出する検出アレンジメントと、前記検出アレンジメントの検出に対応して、前記第１のディスプレイ及び前記第２のディスプレイを制御して、前記第１のディスプレイ又は前記第２のディスプレイが上側を向いている場合に連続する情報部分の第１の情報部分を前記第１のディスプレイ又は第２のディスプレイのうちの一方に表示させ、前記第１の情報部分に対して増分又は減分された第２の情報部分を前記第１のディスプレイ及び前記第２のディスプレイのうちの他方に表示させるディスプレイコントローラと、を含む、ディスプレイユニットを提供する。
【図面の簡単な説明】
【００１０】
【図１】図１は、例示のディスプレイ装置を示す概略図である。
【図２】図２は、フレキシブルディスプレイユニットが垂直方向に沿って部分的に折り、曲げられた例示のディスプレイ装置を示す概略図である。
【図３】図３は、フレキシブルディスプレイユニットがさらに折り曲げられた図２の例示のディスプレイ装置を示す概略図である。
【図４】図４は、フレキシブルディスプレイユニットがさらに折り曲げられた図３の例示のディスプレイ装置を示す概略図である。
【図５】図５は、フレキシブルディスプレイユニットがさらに折り曲げられた図４の例示のディスプレイ装置を示す概略図である。
【図６】図６は、図１〜図５の例示のディスプレイ装置の側面図である。
【図７】図７は、図１〜図５の例示のディスプレイ装置の側面図である。
【図８】図８は、図１〜図５のディスプレイ装置のマウントユニットの一部の断面図である。
【図９】図９は、図１〜図５の例示のディスプレイ装置の背面を示す概略図である。
【図１０】図１０は、フレキシブルディスプレイユニットが水平方向に沿って部分的に折り曲げられた例示のディスプレイ装置を示す概略図である。
【図１１】図１１は、フレキシブルディスプレイユニットがさらに折り曲げられた図１０の例示のディスプレイ装置を示す概略図である。
【図１２】図１２は、フレキシブルディスプレイユニットがさらに折り曲げられた図１１の例示のディスプレイ装置を示す概略図である。
【図１３】図１３は、フレキシブルディスプレイユニットが斜め方向に沿って部分的に折り曲げられた例示のディスプレイ装置を示す概略図である。
【図１４】図１４は、マウントユニットに嵌められたディスプレイ装置及び保護カバーを備える例示のディスプレイ装置を示す概略図である。
【図１５】図１５は、マウントユニットの背面に内蔵型ディスプレイを備える例示のディスプレイ装置の前面を示す概略図である。
【図１６】図１６は、図１５〜図１８の例示のディスプレイ装置の側面図である。
【図１７】図１７は、図１５〜図１８の例示のディスプレイ装置の側面図である。
【図１８】図１８は、図１５の例示のディスプレイ装置の背面を示す概略図である。
【図１９】図１９は、取り外し可能な前面及び後面のディスプレイユニットが取り外された例示のディスプレイ装置の前面を示す概略図である。
【図２０】図２０は、図１９の例示のディスプレイ装置の背面を示す概略図である。
【図２１】図２１は、ディスプレイユニットが取り外された状態の図１９の例示のディスプレイ装置の側面図である。
【図２２】図２２は、ディスプレイユニットが取り外された状態の図２０の例示のディスプレイ装置の側面図である。
【図２３】図２３は、図１９〜図２２のディスプレイ装置のマウントユニットの一部の断面図である。
【図２４】図２４は、ディスプレイユニットがマウントユニット内にある図１９〜図２２の例示のディスプレイ装置の前面を示す概略図である。
【図２５】図２５は、ディスプレイユニットがマウントユニット内にある図１９〜図２２の例示のディスプレイ装置の背面を示す概略図である。
【図２６】図２６は、ディスプレイユニットがマウントユニット内にある図１９の例示のディスプレイ装置の側面図である。
【図２７】図２７は、ディスプレイユニットがマウントユニット内にある図２０の例示のディスプレイ装置の側面図である。
【図２８】図２８は、ディスプレイユニットを受容及び支持するためのフレームを有する例示のディスプレイ装置を示す概略図である。
【図２９】図２９は、マウントユニット内で受容及び保持可能なディスプレイユニットを受容及び支持するためのフレームを有する例示のディスプレイ装置を示す概略図である。
【図３０】図３０は、マウントユニット内で受容及び保持可能な折りたたみ可能ディスプレイユニットを有する例示のディスプレイ装置を示す概略図である。
【図３１】図３１は、マウントユニット内で受容及び保持可能なディスプレイユニットを有する例示のディスプレイ装置を示す概略図である。
【図３２】図３２は、マウントユニット内で受容及び保持可能なディスプレイユニットを有する例示のディスプレイ装置を示す概略図である。
【図３３】図３３は、マウントユニット内で受容及び保持可能なディスプレイユニットを有する例示のディスプレイ装置を示す概略図である。
【図３４】図３４は、ディスプレイユニットを受容及び保持するためのヒンジ連結された二部構成のマウントユニットを有する例示のディスプレイ装置を示す概略図である。
【図３５】図３５は、ディスプレイユニットを受容及び保持するためのヒンジ連結された２対の部分を含むヒンジ付きマウントユニットを有する例示のディスプレイ装置を示す概略図である。
【図３６】図３６は、ディスプレイユニットを受容及び保持するためのヒンジ付きマウントユニットを有する例示のディスプレイ装置を示す概略図である。
【図３７】図３７は、例示のディスプレイユニットの電子部品を示す概略図である。
【図３８】図３８は、例示のマウントユニットの電子部品を示す概略図である。
【図３９】図３９は、情報の表示の制御のために隣接するディスプレイユニットの近接性を検出する複数のディスプレイユニットを含む例示の電子ディスプレイ装置を示す概略図である。
【図４０】図４０は、情報の表示の制御のために隣接するディスプレイユニットの近接性を検出する複数のディスプレイユニットを含む例示の電子ディスプレイ装置を示す概略図である。
【図４１】図４１は、情報の表示の制御のために隣接するディスプレイユニットの近接性を検出する複数のディスプレイユニットを示す概略図である。
【図４２】図４２は、情報の表示の制御のために隣接するディスプレイユニットの近接性を検出する複数のディスプレイユニットを示す概略図である。
【図４３】図４３は、情報の表示の制御のために隣接するディスプレイユニットの近接性を検出する複数のディスプレイユニットを示す概略図である。
【図４４】図４４は、例示のディスプレイユニットの電子部品を示す概略図である。
【図４５】図４５は、例示の電子ディスプレイ装置による情報の通信を示す概略図である。
【発明を実施するための形態】
【００１１】
以下の詳細な説明では、本願の一部を成し、本発明の主題が実施され得る具体的な実施形態を例示する添付の図面を参照する。これらの実施形態は、当業者がそれらを実施できるようにするために十分に詳細に記載されており、他の実施形態を利用してもよく、本発明の主題の範囲から逸脱することなく、構造的、論理的及び電気的な変更が可能であることを理解すべきである。本発明の主題のそのような実施形態を「発明」という用語で個別に及び／又は集合的に呼ぶことがあるが、これは、単なる便宜上のものに過ぎず、複数が実際に開示されている場合には、本願の範囲を１つの発明又は発明概念に限定することを意図していない。
【００１２】
したがって、以下の説明は、限定された意味で解釈すべきではなく、本発明の主題の範囲は、添付の特許請求の範囲及びその同等物によって定義される。
【００１３】
以下の実施形態では、同様の構成要素には同様の参照番号を付す。
【００１４】
いくつかの実施形態は、関連する制御信号及びデータ信号がモジュールを介して相互間で通信される２つ以上の特定の相互接続されたハードウェアモジュール又は装置における機能を実施するか又は特定用途向け集積回路の一部として機能を実施する。そのため、例示のプロセスフローは、ソフトウェア、ファームウェア及びハードウェアの実装に適用可能である。  一般化された実施形態は、少なくとも１つのディスプレイユニットであって、プレイユニットは、ユーザー入力機能を備えたディスプレイスクリーン、バッテリ及び無線トランシーバを含む、少なくとも１つのディスプレイユニットと、少なくとも１つのディスプレイユニットを受容及び保持するように適合されたマウントユニットとを含むディスプレイ装置を提供する。  本発明は携帯型ディスプレイ装置に適しているが、これに限定されない。
【００１５】
１つの例では、マウントは、デスクトップコンピューター又は機械制御装置等の非携帯型の装置の一部であるため、１つ以上のディスプレイを使用のためにマウントから取り外すことができるか又はマウント内にあるか若しくは取り付けられた状態で使用できる。例えば、マウントは、コンピュータ数値制御マシン等の機械に固定されるか又はその一部であってよく、各ディスプレイは、マシンの制御に用いるために取り外し可能であり得る。
【００１６】
固定構成では、マウントユニットの通信アレンジメントは、通信ネットワークへの通信を提供するために無線又は有線であり得る。通信ネットワークは、マウントユニットが固定される装置の一部又はリモート、すなわち、インターネット、ＷＡＮ又はＬＡＮであり得る。固定構成では、装置は、装置に固定されるか又は装置に組み込まれる２つ以上のマウントを有することができる。
【００１７】
１つの例では、マウントユニットは、携帯型、ハンドヘルド型又は固定型であり得る。マウントユニットの通信アレンジメントは、無線通信のための第２の無線トランシーバを含むことができ、マウントユニットの第１の無線トランシーバ及びディスプレイユニットの無線トランシーバは、第２の無線トランシーバよりも短距離のものであり得る。
【００１８】
マウントユニットを携帯型又はハンドヘルド型にすることには、１つ以上のディスプレイユニットがマウントユニットに取り付けられた場合に、ディスプレイ装置を携帯型又はハンドヘルド型として用いることができるという利点がある。ディスプレイ装置が携帯型又はハンドヘルド型の場合、ユーザーはディスプレイ装置を持ち運ぶことができ、ユーザーが別々にディスプレイユニットを用いることを望む場合、ユーザーはディスプレイ装置全体よりもサイズが小さく且つ軽量な１つ以上のディスプレイユニットだけを用いることができるように、マウントユニットを脇に置くことができる。
【００１９】
低出力／短距離無線トランシーバを、各ディスプレイユニット及びマウントユニットで用いる場合、各ディスプレイユニットは、マウントユニットと通信するためにマウントユニットの範囲内にある必要がある。使用する低出力／短距離通信プロトコルはＢｌｕｅｔｏｏｔｈ（登録商標）であり得る。各ディスプレイユニットは、マウントユニットとの間の安全な通信のために、Ｂｌｕｅｔｏｏｔｈプロトコルを用いてマウントユニットとペアリングできる。マウントユニットのより高出力／長距離トランシーバによって用いられる高出力／長距離の無線通信プロトコルは、ＷＩＦＩ、ＷｉＭＡＸ、ＣＤＭＡ、ＧＳＭ、ＧＰＲＳ、無線ローカルループ又はＷＡＮであり得る。そのため、各ディスプレイユニットは、マウントユニットと通信できるとともに、低出力／短距離通信リンク及びより高出力／長距離の通信リンクを用いるマウントユニットを介して、インターネット等の通信ネットワークとも通信できる。このように、各ディスプレイユニットの電力要求及び重さが低減される。
【００２０】
マウントユニットは、通信ネットワークと各ディスプレイユニットとの間の通信のためのプロキシ又はハブとして機能することに加えて、各ディスプレイユニットを収容するために物理的なサポートを提供するとともに、各ディスプレイユニットがマウントユニット内に又はマウントユニット上で取り付けられている間に、各ディスプレイユニット内のバッテリを再充電するための手段を提供する。各ディスプレイユニット内のバッテリの再充電は、電磁誘導充電アレンジメント等の非接触又は接触アレンジメントにより行うことができる。携帯型マウントユニットに必要な電力を提供するために、マウントユニットは、１つ以上のディスプレイユニットのバッテリの再充電を可能にするために必要な電力を蓄積するために、自らバッテリを含むことができる。マウントユニットのバッテリは、主電源への接続が可能な場合は、充電アダプタを用いて充電することができる。
【００２１】
前述したいずれの実施形態においても、各ディスプレイユニットのトランシーバは、ＷＩＦＩ、ＷｉＭＡＸ、ＣＤＭＡ、ＧＳＭ、ＧＰＲＳ、無線ローカルループ又はＷＡＮ等のより高出力／長距離の通信無線通信プロトコルを用いてもよい。
【００２２】
一実施形態では、マウント及び１つ以上の取り外し可能なディスプレイユニットを有する携帯型ディスプレイ装置は、ディスプレイユニットの少なくとも１つがマウントユニット内で保持されている間に使用可能である場合に持ち運ぶことができるとともに、ユニットとして用いることができる携帯型又はハンドヘルド型デバイスをユーザーに提供するか、又は１つ以上のディスプレイユニットをマウントユニットから分離することによって、マウントユニットとは別個に１つ以上のディスプレイユニットの使用を可能にすることができる。ユーザーが１つ以上のディスプレイユニットを用いる間、マウントユニットは、別個にし、例えばユーザーのハンドバッグ、ラップトップバッグ又はリュックサックにしまうことができる。これは、ユーザーが保持する必要がある装置の嵩を低減する。また、複数のディスプレイユニットがマウントユニットから分離されている場合、ユーザーが利用可能なディスプレイ領域及び柔軟性は、従来のディスプレイ装置から利用可能なものよりも大きい。
【００２３】
１つの例では、マウントユニット内に収容されたプロセッサに処理要件の一部を任せることにより、各ディスプレイユニットの複雑さ及び処理能力を削減して、バッテリ及び処理要件を節約し、重さ及びコストを低減できる。このように、ディスプレイユニットのプロセッサ及びマウントユニットのプロセッサは、ディスプレイユニットによる表示のための情報の処理を協働して行うか又は共有する。処理のための情報、処理された情報及び協調処理のためのコマンドは、例えば、低出力及び短距離通信プロトコル、例えばＢｌｕｅｔｏｏｔｈ（登録商標）を用いて、ディスプレイユニットとマウントユニットとの間でやり取りできる。
【００２４】
各ディスプレイユニットは、剛性ディスプレイ若しくはフレキシブルディスプレイであってもよく、複数のディスプレイユニットの場合は、フレキシブルディスプレイユニット及び剛性ディスプレイユニットの混合であってもよい。フレキシブルディスプレイは、例えば、可撓性ＬＣＤ又はＯＬＥＤディスプレイであり得る。ディスプレイユニットが可撓性の場合、マウントユニットは、ディスプレイユニットを使用されないときに収容するための剛性又は半剛性の支持プラットフォームを提供できる。また、例えば、ディスプレイユニットをマウントユニットの１つの側面に取り付けることによって、ディスプレイユニットがマウントユニット上に取り付けられている間にディスプレイユニットが見える場合に、マウントユニットは使用中のフレキシブルディスプレイユニットに対して剛性の支持を提供できる。フレキシブルディスプレイユニットは、プロセッサ、メモリ、グラフィックスドライバ及びＢｌｕｅｔｏｏｔｈ（登録商標）トランシーバ等の主要な電子部品をディスプレイスクリーンの一端に沿って収容できるため、ディスプレイユニットに、その一端から離れたディスプレイスクリーンの領域で可撓性を持たせることができ、例えば、電子部品を収容する端部の方にフレキシブルディスプレイユニットを丸めるか又は折り曲げることができる。
【００２５】
１つの例では、マウントユニットも可撓性であり得るが、その程度は、マウントユニット内に又はマウントユニットに取り付けられる１つ以上のディスプレイユニットよりも低い。
【００２６】
１つの例では、ディスプレイスクリーンは、情報の出力だけでなく、ユーザーが入力できるようにタッチセンシティブディスプレイを含むことができる。代替的な実施形態では、ジェスチャ認識によるユーザー入力ができるようにディスプレイユニット内にカメラを設けることができる。ディスプレイユニットは、低出力/短距離通信により、例えばＢｌｕｅｔｏｏｔｈ（登録商標）を用いることにより、キーボード又はポインタ装置等の周辺入力機器の接続も可能にできる。
【００２７】
１つの例では、複数のディスプレイユニットは、折り畳み可能なディスプレイ構造を提供するために互いにヒンジ連結できる。ディスプレイユニットは、別々で用いるために取り外すことができる。ディスプレイユニットを受容及び保持するために、ディスプレイユニットは折り畳まれ、折り畳まれた構成のディスプレイユニットをマウントユニットに取り付けることができる。
【００２８】
１つの例では、１つ以上のディスプレイユニットの少なくとも周縁部を受容及び支持するためにディスプレイフレーム構造が設けられる。そして、ディスプレイフレーム構造内にあるディスプレイユニットをマウントユニットに取り付けることができる。１つの例では、ディスプレイフレーム構造は、複数のディスプレイユニットを受容及び支持し、各ディスプレイユニットのためのフレームを含む。これらのフレームは、折り畳み可能なフレーム構造を形成するために、互いにヒンジ連結される。フレームは、フレームを分離できるように、取り外し可能に互いに連結できる。これにより、ディスプレイユニットをフレーム内で用いることができる。これらのフレームは、ディスプレイユニットに対して支持を提供する。これは、フレキシブルディスプレイユニットにとりわけ適用可能である。
【００２９】
マウントユニットは、各ディスプレイユニットを様々な方法で保持できる。マウントユニットは、１つ以上の面でディスプレイを保持できる。また、別の例では、マウントユニットは、各ディスプレイユニットを内部で保持でき、それにより、各ディスプレイユニットは、１つ以上のスロットを介して又はマウントのケースの蓋若しくはドアを開けることによりマウントユニット内に挿入される。
【００３０】
１つの例では、マウントユニットは、ヒンジ領域と、ヒンジ領域にヒンジ接続される複数のフレームとを含む。各フレームは、ディスプレイユニット又は２つのディスプレイユニットをその側面で１つずつ受容及び保持するように構成されている。
【００３１】
１つの例では、マウントユニットは、１つ以上のディスプレイユニットの取り付けのための調節可能な取り付けアレンジメントを含み、調節可能な取り付けアレンジメントは、異なるサイズのディスプレイユニットを内部に適合させるように調節可能である。
【００３２】
１つの例では、ディスプレイユニットは、少なくとも1つの他のディスプレイが隣り合わせ構成で隣接して配置された場合にそれを検出する検出器アレンジメントと、少なくとも１つの隣接するディスプレイユニットにディスプレイ同期情報を通信する無線トランシーバと、隣接するディスプレイユニットがディスプレイ情報を協調的に表示するようにディスプレイ出力を制御するディスプレイコントローラとを含むことができる。
【００３３】
ディスプレイユニットが隣り合わせで使用される場合、ディスプレイユニットによって表示される情報は、連続する情報部分（すなわち、例えば、テキスト又は画像の連続したページ等の、情報源からの連続した情報）として情報を表示するために相互に協調させることができる。
【００３４】
隣接するディスプレイユニットが互いに対して再配置された場合、ディスプレイコントローラは、隣接するディスプレイユニットが増分された連続する情報部分として情報を表示するように、ディスプレイ出力を制御して情報部分を表示させるように構成されている。すなわち、本のページをめくるような形でディスプレイユニットが動かされた場合に、それが反映され、表示されるページが増分されるように表示される情報が更新される。
【００３５】
ディスプレイユニットは、光学検出、磁気結合、例えばホールスイッチ、物理接触又はＲＦ通信等の、隣接性を検出する任意の従来の方法を含むことができる。１つの例において、ＲＦ通信は、隣接するディスプレイ装置間の近距離通信を含むことができる。
【００３６】
この改良された協調的な情報表示能力を提供するディスプレイユニットは、上述のような構成では、マウントユニットと共に用いることができる。
【００３７】
各ディスプレイユニットは保護スクリーンを備えることができる。
【００３８】
１つの例では、マウントユニットは、各ディスプレイユニットを取り付けることに加えて、取り外しできない１つ以上の内蔵型ディスプレイを含むことができる。
【００３９】
各ディスプレイユニットは、マウントユニットを介してインターネット又は任意のコンピュータネットワーク（ローカル又はワイドエリア）にアクセス可能な、軽量で低電力かつフレキシブルなタブレットコンピュータ装置として動作可能である。
【００４０】
次に、図面を参照しながら特定の実施形態を説明する。
【００４１】
図１はディスプレイ装置を示し、マウントユニット２から離されたディスプレイユニット１を示す。この例では、ディスプレイユニット１は、情報を処理及び表示するための、概ね矩形の薄型で剛性又はフレキシブルのディスプレイ装置を含む。マウントユニット２は、図３６を参照して以下で説明するように、電子部品を収容する略矩形体である。マウントユニット２は、ディスプレイユニット１よりも寸法が大きく、ディスプレイユニット１の寸法よりも僅かに大きい寸法を有する凹面２ｂを取り囲む周縁部２ａを有する。凹縁部２ｃは、凹面２ｂに対して直角であり、ディスプレイユニット１の深さよりも大きい深さを有しているため、凹面２ｂに対してディスプレイユニット１を凹部で受容できる。
【００４２】
ディスプレイユニットを凹部内で維持するために、凹縁部には、ディスプレイユニットの端部を把持するために弾性アレンジメントを設けることができる。ディスプレイユニット１をマウントユニット２から離脱又は分離させることができるように、周縁領域２aには凹部領域２dが設けられ、ユーザーはディスプレイユニット１をてこで動かしてマウントユニット１から離すこと（prize  the  display  unit  1  away  from  the  mount  unit  1）ができる。
【００４３】
図２〜図５は、図１のようなディスプレイ装置の一例を示し、該一例では、ディスプレイユニット１はフレキシブルディスプレイユニットである。図１〜図５は、垂直軸に沿って様々な度合いで折り曲げられたフレキシブルディスプレイユニット１を示す。この例では、ディスプレイユニット１の垂直端部に電子機器が収容され、ディスプレイユニットの残りの部分を折り曲げることができるようになっている。
【００４４】
図６及び図７は、図１〜図５のディスプレイ装置の側面図であり、ディスプレイユニット１とマウントユニット２との分離を示す。
【００４５】
図８は、マウントユニット２の周縁部２aを介した断面図である。係る図は、ディスプレイユニット１をマウントユニット２の凹部内で保持するために、ディスプレイユニット１の端部と係合する弾性アレンジメント２eを示す。
【００４６】
図９は、ディスプレイ装置の背面図であり、マウントユニット２とディスプレイユニット１とが分離された状態を示す。
【００４７】
図１０〜図１２は、図１のようなディスプレイ装置の一例を示し、該一例では、ディスプレイユニット１はフレキシブルディスプレイユニットである。図１０〜図１２は、水平軸に沿って様々な度合いで折り曲げられたフレキシブルディスプレイユニット１を示す。この例では、ディスプレイユニット１の水平端部に電子機器が収容され、ディスプレイユニットの残りの部分を折り曲げることができる。
【００４８】
図１３は、図１のようなディスプレイ装置の一例を示し、該一例では、ディスプレイユニット１は、対角軸に沿って折り曲げることが可能なフレキシブルディスプレイユニットである。
【００４９】
図１〜図１３の例では、マウントユニット２に取り付けられたディスプレイユニット１は、ディスプレイユニット１がマウントユニット２に取り付けられていても、ユーザーはアクセスでき、それを用いることができる。そのため、取り付けられた構成では、ディスプレイ装置は依然としてユーザーにより使用可能である。
【００５０】
図１４は、図１のようなディスプレイユニット装置の一例を示し、該一例では、ディスプレイユニット１がマウントユニット２内に取り付けられ、マウントユニット２に取り付けられた場合にディスプレイを保護するために、マウントユニット１に取り付けるために保護カバー３が設けられている。保護カバー３は、例えばクリップ又は磁気アレンジメントを用いてマウントユニット２の周縁部２aに取り付けることができる。
【００５１】
図１５〜図１８は、図１のようなディスプレイ装置の別の例を示すが、ディスプレイスクリーン４がマウントユニット２の後面に組み込まれている点で異なる。これにより、ユーザーは、マウントユニット２からディスプレイユニット１を取り外して、マウントユニット２のディスプレイスクリーン４と共にディスプレイユニット１を用いることができる。
【００５２】
図１９〜図２７は、それぞれが図１〜図１８のディスプレイユニット１と同様である２つのディスプレイユニットｌａ、１ｂと、マウントユニット２０とを有する別の例示のディスプレイ装置を示す。マウントユニット２０は、マウントユニット２０の両側に２つのディスプレイユニットｌａ、ｌｂを取り付けることができるように両面取り付けできる以外は、図１〜図８のマウントユニット２とある程度同様である。図１９及び図２０は、マウントユニット２０からディスプレイユニットｌａ及びｌｂが分離された状態の前面及び背面を示す。図２１及び図２２は、マウントユニット２０からディスプレイユニットｌａ及びｌｂが分離された状態のディスプレイ装置の側面図である。図２４及び図２５は、マウントユニット２０にディスプレイユニットｌａ及びｌｂが取り付けられた状態の前面及び背面を示す。図２６及び図２７は、マウントユニット２０にディスプレイユニットｌａ及びｌｂが取り付けられた状態のディスプレイ装置の側面図である。図２３は、マウントユニット２０の周縁部２ａを介した断面図である。この図は、ディスプレイユニット１ａ及び１ｂをマウントユニット２０の凹部内で保持するために、ディスプレイユニット１ａ及び１ｂの端部と係合する弾性アレンジメント２ｅを示す。図１９〜図２７の同様の参照番号は、図１〜図８における同様の特徴を示す。
【００５３】
図１９〜図２７の例では、マウントユニット２０に取り付けられた２つのディスプレイユニット１ａ及び１ｂは、ディスプレイユニット１ａ及び１ｂがマウントユニット２０に取り付けられている場合であっても、ユーザーはアクセスでき、それらを用いることができる。そのため、取り付けられた構成では、ディスプレイ装置は依然としてユーザーによって使用可能である。
【００５４】
図１〜図２７のいずれの例においても、マウントユニット２又は２０は、サイズの異なるディスプレイユニットの保持及び取り付けを可能にするために、調節可能な取り付けアレンジメントを含むことができる。そのような調節可能な構成は例えば可撓性の弾性アームを含むことができ、より大きなディスプレイユニットのために調節可能なアレンジメントを押して広くなるように可撓性の弾性アームはディスプレイユニットの側部に押し付けられる。あるいは、凹部２ｃの内縁部は、ディスプレイユニットの側部と係合するよるために並進的に摺動する摺動要素を含むことができる。
【００５５】
図２８は、上述した形態のディスプレイユニット１を受容及び支持するためのフレーム３０を有する例示のディスプレイ装置を示す概略図である。この例では、フレーム３０は、ディスプレイユニット１を受容及び保持し、マウントユニットを形成する。各フレームは、図１〜図８を参照して説明したマウントユニット２と同様であり、ディスプレイユニット１はフレーム３０の一方側のみに取り付けられているか、あるいは、図１９〜図２７を参照して説明したマウントユニット２０と同様に、ディスプレイユニット１はフレーム３０の両側に取り付けられる。
【００５６】
各フレーム３０は隣接するフレーム３０にヒンジ接続され、積み重ねられた構成に、例えば、図２８の矢印で示されるように交互に折り畳まれた構成に折り畳むことができる一連のフレーム３０を形成する。この例では、ヒンジ接続部３１はフレーム３０の長辺のいずれかの端部に形成されている。ヒンジ接続部３１は、フレーム３０が積み重ねられた状態になるように互いに折り畳むことができるようにする。フレームが折り畳まれて積み重ねられた構成になるようフレームを共に締結するために、ファスナー３２を設けることができる。そのため、この例では、マウントユニットは、積み重ねられたフレーム３０を含む。代替的な例では、ヒンジ接続部は、フレームの側面の一部又は全てに沿って延在できる。
【００５７】
図２８には示していないが、フレームの端部は薄くすることができため、ディスプレイユニットが保持された場合、ディスプレイユニットは略縁なしに見える。図２９は、ディスプレイユニット１を受容及び支持するための図２８の例示のディスプレイ装置のフレームと同様のフレーム３０を有する例示のディスプレイ装置を示す概略図であり、ディスプレイユニット１は、マウントユニット５０内に収容されるようにマウントユニット４０内で受容及び保持できる。このように、マウントユニット４０は、ディスプレイユニット１のための保護筐体を提供する。マウントユニット４０は、積み重ねられたフレーム３０をマウントユニット４０から排出するための排出機構を含むことができる。積み重ねられたフレーム３０はマウントユニット４０内に挿入でき、マウントユニット４０内の弾性アレンジメントによって保持することができ、弾性アレンジメントによる保持は、排出機構により積み重ねられたフレーム３０を排出するために解消できる。
【００５８】
この例では、フレーム３０が積み重ねられた構成になるように折り畳まれると、フレーム３０はマウントユニット４０の側面にあるスロット４１に挿入できる。この例では、フレーム３０は、ディスプレイユニット１を支持するだけで電子部品を含まないか又はマウントユニット４０の部品及びコネクタと協働するために電子部品又はコネクタを含むことができる。
【００５９】
図２８及び図２９の例では、フレーム３０は、ディスプレイユニット１に対して支持を提供する。そのため、これらの例は、フレキシブルディスプレイユニットと併用する場合に好適である。フレームはディスプレイユニットを支持し、フレーム３０内で単独で又はマウントユニット４０内での収納を容易にするために、それらの形状が平面形状に合致するように支持する。一例では、フレーム３０は取り外し可能であり、フレーム３０を別々に用いることができるように、一連のフレーム３０から外すこと及び一連のフレーム３０に再接続することができる。ディスプレイユニットは、フレームから分離されたとき又はフレーム内にある場合に用いることができ、フレームが互いに接続されているとき又は任意の組み合わせで外されているときに用いることができる。
【００６０】
図２８又は図２９の例において、フレーム３０は、異なるサイズのディスプレイユニットの保持及び取り付けを可能にする調節可能な取り付けアレンジメントを含むことができる。そのような調節可能なアレンジメントは例えば可撓性の弾性アームを含むことができ、調節可能なアレンジメントがより大きなディスプレイユニットのために広くなるよう押されるように可撓性の弾性アームをディスプレイユニットの側部に押し付けることができる。あるいは、フレーム内の凹部の内縁部は、ディスプレイユニットの側部と係合するよるために並進的に摺動する摺動要素を含むことができる。
【００６１】
フレームはマウントユニットを含むことができるため、フレーム毎に１つ等の１つ以上のプロセッサ、メモリ及びディスプレイユニットのためのバッテリ再充電アレンジメントを含む、マウントユニットの電子部品を含むことができる。また、図２９の実施形態では、フレームは、例えば少なくとも充電コンポーネント等のマウントの電子部品を含むことができる。フレームがマウントユニットの電子部品を含む場合、フレームは、フレームが伸長又は展開された構成にある場合に又はフレームが分離されている場合に取り付け機能を提供できる。
【００６２】
図３０は、マウントユニット５０内で受容及び保持可能な折り畳み可能なディスプレイユニット１を有する例示のディスプレイ装置を示す概略図である。この例では、ディスプレイユニット１は概して剛性であり、それらを支持するのにフレームを必要としない。
【００６３】
各ディスプレイユニット１は、隣接するディスプレイユニット１にヒンジ接続されて、一連のディスプレイユニット１を形成する。この例では、ヒンジ接続部１ｃは、ディスプレイユニット１の長辺のいずれかの端部に形成されているが、それらはディスプレイユニットの側面のいずれか又は全てに沿って延在できる。ヒンジ接続部１ｃは、ディスプレイユニット１が積み重なるように互いに折り返すことができるようにする。ディスプレイユニット１が積み重ねられた構成になるように折り畳まれた場合、それらがマウントユニット５０内に収容されるように、マウントユニット５０の側面にあるスロット５１に挿入できる。このように、マウントユニット５０は、ディスプレイユニット１のための保護筐体を提供する。マウントユニット５０は、積み重ねられたディスプレイユニット１をマウントユニット５０から排出するための排出機構を含むことができる。積み重ねられたディスプレイユニット１はマウントユニット５０内に挿入でき、マウントユニット４０内の弾性アレンジメントによって保持することができ、弾性アレンジメントによる保持は、排出機構により積み重ねられたディスプレイユニット１を排出するために解消できる。
【００６４】
１つの例では、ディスプレイユニット１は、ディスプレイユニット１を別個で用いることができるように一連のディスプレイユニット１からの取り外し及び一連のディスプレイユニット１への再接続が可能である。
【００６５】
図３１は、マウントユニット６０内に収容された状態で受容及び保持可能なディスプレイユニット１を有する例示のディスプレイ装置を示す概略図である。この例では、ディスプレイユニットは、マウントユニット６０の側面にあるスロット６１に個別に挿入して、全てのディスプレイユニット１をマウントユニット６０内に収容できる。この構成では、ディスプレイユニット１がマウントユニット６０内に取り付けられている場合、使用するためにアクセスできない。マウントユニット６０は、各ディスプレイユニット１をマウントユニット５０から別々に又は一緒に排出するための排出機構を含むことができる。ディスプレイユニット１はマウントユニット６０内に挿入でき、マウントユニット４０内で弾性アレンジメントによって保持することができ、弾性アレンジメントによる保持は、排出機構によりディスプレイユニット１を個別に又は一緒に排出するために解消できる。
【００６６】
図３２は、図３１の例と同様に、マウントユニット７０の側面にあるスロット７１を介してマウントユニット７０内で受容及び保持できるディスプレイユニット１を有する例示のディスプレイ装置を概略図であるが、ディスプレイ装置は図３１の例に加えて、ディスプレイユニット１のうちの１つを受容及び保持するためにマウントユニット７０の面に設けられた凹部７２を有する。ディスプレイユニット１は、図１〜図８の例においてディスプレイユニットがマウントユニット２に取り付けられる方法と同様の方法で凹部７２に取り付けられる。この例では、ディスプレイユニット１の全てがマウントユニット７０に取り付けられている場合でも、ディスプレイユニットのちの１つにアクセスして使用することができる。
【００６７】
図３３は、図３２の例と同様の方法で、マウントユニット８０の端部にあるスロット８１を介してマウントユニット８０内で受容及び保持でき、マウントユニット８０内で収容及び保護可能なディスプレイユニット１を有する例示のディスプレイ装置を示す概略図であり、これらの点を除いて、図３１の例と同様である。
【００６８】
図３４は、マウントユニット３００内で受容及び保持でき、マウントユニット３００内で収容及び保護可能なディスプレイユニット１を有する例示のディスプレイ装置を示す概略図である。この実施形態では、マウントユニット３００は２つのパーツ３０１及び３０２を含み、２つのパーツ３０１及び３０２は、ディスプレイユニット１を収容するために、マウントユニットを開いてディスプレイユニットを受容できるようにヒンジ連結されている。２つの部分は互いに締結して閉じた構成にでき、締結具を解除してマウントユニット３００を開くことができる。
【００６９】
各ディスプレイユニット１は、隣接するディスプレイユニット１にヒンジ接続されて一連のディスプレイユニット１を形成する。この例では、ヒンジ接続部ｌｃは、ディスプレイユニット１の長辺のいずれかの端部に形成されるが、それらはディスプレイユニットのいずれかの側面のいずれか又は全てに沿って延在できる。ヒンジ接続部１ｃは、ディスプレイユニット１が積み重なるように互いに折り返すことができるようにする。ディスプレイユニット１が積み重ねられた構成に折り畳まれている場合、それらは、マウントユニット３００内で収容されるようにマウントユニット３００に挿入できる。このように、マウントユニット３００は、ディスプレイユニット１のための保護ハウジングを提供する。
【００７０】
本実施形態では、マウントユニットの２つのパーツ３０１、３０２がヒンジ接続されたものを示すが、これらは、ディスプレイユニット１の挿入及びディスプレイユニット１の収納ができるように任意の構成で互いに分離又は接続できる。また、ヒンジ連結されたディスプレイユニット１を示しているが、１つ以上の別個のディスプレイユニットを、２つの部分のマウントユニットに挿入できる。少なくとも１つのディスプレイユニットは、マウントユニットに挿入される前に、フレームに嵌めることができる。
【００７１】
２つのパーツ３０１、３０２は、ディスプレイユニットのうちの１つを露出させるために部分的に折り返されるか（fold  back）又は部分３０１、３０２の外面が接触するように完全に折り返され得る。ディスプレイユニットが２つのパーツ３０１、３０２内に取り付けられて２つのパーツ３０１、３０２によって保持されている場合、パーツ３０１、３０２が閉じた場合にディスプレイが互いに対して内向きとなり、パーツ３０１、３０２が互いに対して開かれた場合には外向になるように１つ以上のディスプレイユニットはパーツ３０１、３０２の１つ以上によって保持できるため、１つ以上のディスプレイ又は１つ以上のディスプレイユニットのそれぞれが、ユーザーにとってはマウントユニット及び１つ以上のディスプレイユニットを含むディスプレイ装置の１つ又は２つの外面として見えるようになる。これにより、マウントユニットにより保持されている間に、ディスプレイユニットのうちの１つ又は２つをユーザーによって操作及び使用可能にできる。例えば、１つのディスプレイユニットは、パーツ３０１又は３０２内の凹部に嵌合でき、パーツが開いた場合に、ディスプレイユニットにアクセスして用いることができる。同様に、２つのディスプレイユニットが、部品３０１及び３０２の凹部にそれぞれ嵌合されている場合に、パーツ３０１及び３０２が開かれると、両方のディスプレイユニットにアクセスして用いることができる。２つのパーツは、パーツ３０１、３０２が閉じられて接触している場合に、所定の角度で、例えば略直角で部分的に開くか又は完全に開かれ、外面であるパーツ３０１、３０２の面が平坦な構成になるように折り返すことができる。
【００７２】
図３０〜図３４のいずれの例においても、マウントユニット６０、７０、８０は、サイズの異なるディスプレイユニットの保持及び取り付けを可能にするために、調節可能な取り付けアレンジメントを含むことができる。そのような調節可能なアレンジメントは例えば可撓性の弾性アームを含むことができ、可撓性の弾性アームは、調節可能なアレンジメントがより大きなディスプレイユニットのために広くなるよう押されるように、ディスプレイユニットがスロット６１、７１、８１内に挿入されたときにディスプレイユニットの側部に押し付けることができる。。
【００７３】
図３５は、ディスプレイユニット１を受容及び保持するためのヒンジ連結されたマウントユニット４００を有する例示のディスプレイ装置を示す概略図である。ヒンジ連結されたマウントユニット４００は、枢動部材４０５(ヒンジ領域)を中心に自由にヒンジで動くことができる複数のヒンジ連結されたパーツ４０１、４０２、４０３、及び４０４を含む。ヒンジ連結されたパーツ４０１、４０２、４０３、４０４のそれぞれは、一対のヒンジ連結されたパーツ（すなわち、図３４の実施形態では、２対のヒンジ連結されたパーツ３０１、３０２）としてディスプレイユニット１を受容するように構成されている。この例では、第１の対のヒンジ連結されたパーツ４０１及び４０２は、ヒンジ連結されたパーツ４０１、４０２がディスプレイユニット１を取り囲んだ場合（closed  around）に、１つ以上のディスプレイユニット(この例で示すのは２つ)を受容、保持及び収容する。第２の対のヒンジ連結されたパーツ４０３及び４０４は、ヒンジ連結されたパーツ４０３、４０４がディスプレイユニット１を取り囲んだ場合に、１つ以上のディスプレイユニット(この例で示すのは２つ)を受容、保持及び収容する。そのため、この例では、マウント４００によって提供される２つの別々の収容領域がある。
【００７４】
したがって、この例では、マウントユニット４００は、本のページのように開くこともできる閉じた位置にヒンジで動かされると、複数(この例では２つ)の収容領域にディスプレイユニット１を取り付ける。そのため、マウントユニット４００は、別々に用いるためにディスプレイユニット１を取り外すことを可能にするが、取り付けられた状態にある間は本のページに似た形で用いることも可能にする。この構成は、ディスプレイユニット１が保護される形でマウントユニット４００内で保持及び収容されるようにできる。
【００７５】
図３５の例では、ヒンジ連結されたパーツ４０１、４０２、４０３、及び４０４は、サイズの異なるディスプレイユニットの保持及び取り付けを可能にするために、調節可能な取り付けアレンジメントを含むことができる。そのような調節可能な構成は例えば可撓性の弾性アームを含むことができ、可撓性の弾性アームは、調節可能なアレンジメントがより大きなディスプレイユニットのために広くなるよう押されるように、ディスプレイユニットの側部に押し付けることができる。。あるいは、ヒンジ連結されたパーツ４０１、４０２、４０３及び４０４内の凹部の内縁部は、ディスプレイユニットの側面と係合するように並進的に摺動する摺動可能な要素を含むことができる。
【００７６】
図３５には、２対のヒンジ連結されたパーツを示すが、一実施形態では、対のパーツの間を単一の共通パーツに合体させることができる。例えば、パーツ４０２及び４０３を共通とすることができる。これにより、１つ以上のディスプレイユニットのために複数の別個の収容領域を提供つつも、可動パーツの数を減らすことができる。
【００７７】
図２９〜図３５のいずれの実施形態においても、マウントユニットは、個別又はグループとしてディスプレイユニットを受容するか又は物理的な充電コネクタ若しくは無線充電機能を有する１つ以上のスロット、ラック又は溝に１つ以上のディスプレイユニットを保持する１つ以上のフレームを受容するように構成できる。各フレームを介したディスプレイユニット間の又はディスプレイユニットとマウントとの間のデータ通信のために、物理的なコネクタを設けることもできる。代替的に、ディスプレイユニットは短距離無線通信を用いてマウントユニットと通信することができる。ディスプレイユニットは、フレキシブルディスプレイユニット、剛性ディスプレイユニット又は種類が組み合わされたディスプレイユニットであり得る。
【００７８】
上述した例の全てで、ディスプレイユニットはタッチスクリーンを含むこと及び／又はユーザーのジェスチャ制御を可能にするためにカメラを含むことができる。
【００７９】
図３６は、ディスプレイユニット１を受容及び保持するためのヒンジ連結されたマウントユニット９０を有する例示のディスプレイ装置を示す概略図である。ヒンジ連結されたマウントユニット９０は、枢動部材９５(ヒンジ領域)を中心に自由にヒンジで動くことができる複数のヒンジ連結されたフレーム９１、９２、９３及び９４を含む。ヒンジ連結されたフレーム９１、９２、９３及び９４のそれぞれは、図２８及び図２９に示す例のフレーム３０と同様である。フレーム９１、９２、９３、９４のそれぞれは、フレーム９１、９２、９３、９４が、図１９〜図２７の例でマウント２０にディスプレイユニットを受容するのと同様方法で、その片側のみにディスプレイユニットを受容した場合に、図１〜図８の例においてマウントユニット２にディスプレイユニット１を受容するのと同様の方法でディスプレイユニット１を受容するように構成されている。あるいは、両面情報ディスプレイを提供するために、ディスプレイユニット１を両側で受容及び保持することができる。
【００８０】
そのため、この例では、マウントユニット９０は、閉じる位置にヒンジで動かした場合に積み重ねられた構成にすることができるが、本のページのように開くこともできる複数のフレーム９１、９２、９３、９４にディスプレイユニット１を取り付ける。そのため、マウントユニット９０は、別々に用いるためにディスプレイユニットを取り外すことを可能にするが、取り付けられている間は本のページのようにディスプレイユニットを用いることも可能にする。この構成は、ディスプレイユニットが保護されるようにマウントユニット９０内で保持及び収容されることを可能にする。
【００８１】
図３６の例では、フレーム９１、９２、９３及び９４は、サイズの異なるディスプレイユニットの保持及び取り付けを可能にするために、調節可能な取り付け構成を含むことができる。そのような調節可能な構成は例えば可撓性の弾性アームを含むことができ、可撓性の弾性アームは、調節可能なアレンジメントがより大きなディスプレイユニットのために広くなるよう押されるように、ディスプレイユニットの側部に押し付けることができる。あるいは、フレーム内の凹部の内縁部は、ディスプレイユニットの側面と係合するように並進的に摺動する摺動可能な要素を含むことができる。
【００８２】
上述した例の全てにおいて、ディスプレイユニットはタッチスクリーンを含むこと及び／又はユーザーのジェスチャ制御を可能にするためにカメラを含むことができる。また、フレーム９１、９２、９３、９４は枢動部材９５から取り外すことができる。
【００８３】
図３７は、上述の例で用いたような例示のディスプレイユニット１の電子部品を示す概略図である。
【００８４】
プロセッサ１００は、プロセッサによって使用されるオペレーティングシステムコード等のコードを記憶するとともに、不揮発的にデータを記憶するスタティックメモリ１０２に接続されている。アプリケーションコード及び表示のためのデータ及び情報を記憶するために揮発性メモリ１０３が設けられる。ディスプレイスクリーン１０５の制御のためにグラフィックスドライバ１０４が設けられており、ディスプレイスクリーン１０５は、表示された情報に応答するユーザー入力を提供するためにタッチスクリーンであり得る。バッテリ１０７は電子部品に電力を供給し、ディスプレイユニット１がマウントユニットに取り付けられた場合にバッテリ１０７を再充電できるようにするためにマウント電源入力１０８が設けられる。マウント電源入力１０８は、マウントユニットの電源出力２０５を表示するための物理的な連結（physical  coupling）を含むことができる。あるいは、誘導連結を用いることができる。
【００８５】
短距離／低出力トランシーバ１０１は、マウントユニット内の短距離及び低出力トランシーバとの短距離及び低出力通信のためにプロセッサ１００に接続されている。この通信リンクは、ディスプレイユニットとマウントユニットとの間でデータ、情報及び制御をやり取りするのに用いることができる。これにより、ディスプレイユニットは、マウントユニットを介してインターネット等の通信ネットワークにアクセスできる。また、それにより、ディスプレイユニット内のプロセッサ１００の処理能力要件を低減するために、マウントユニットのプロセッサとディスプレイユニットのプロセッサとが、ディスプレイユニットによって必要とされる情報処理を協働で行うか又は共有することができる。使用される低出力／短距離通信プロトコルはＢｌｕｅｔｏｏｔｈ（登録商標）であってもよい。ディスプレイユニットは、ディスプレイユニットとマウントユニットとの間の安全な通信のために、Ｂｌｕｅｔｏｏｔｈプロトコルを用いてマウントユニットとペアリングすることができる。
【００８６】
任意で、ディスプレイユニットは、隣接するディスプレイユニットの検出のためのモジュールを含むことができる。この例では、モジュールは近距離通信モジュール１０６を含むことができる。
【００８７】
図３８は、説明した例のいずれかで用いられる例示のマウントユニットの電子部品を示す概略図である。
【００８８】
プロセッサ２００は、プロセッサによって使用されるオペレーティングシステムコード等のコードを記憶するとともに、不揮発的にデータを記憶するスタティックメモリ２０２に接続されている。アプリケーションコード及び表示のためのデータ及び情報を記憶するために揮発性メモリ２０３が設けられる。
【００８９】
短距離／低出力トランシーバ２０１は、１つ以上のディスプレイユニット内の短距離及び低出力トランシーバとの短距離及び低出力通信のためにプロセッサ２００に接続されている。この通信リンクは、ディスプレイユニットとマウントユニットとの間でデータ、情報及び制御をやり取りするために用いることができる。上述したように、これにより、ディスプレイユニットは、マウントユニットを介してインターネット等の通信ネットワークにアクセスできるようにするとともに、ディスプレイユニット内のプロセッサ１００の処理能力要件を低減するために、マウントユニットのプロセッサとディスプレイユニットのプロセッサとが、ディスプレイユニットによって必要とされる情報処理を協働で行うか又は共有することができる。使用される低出力／短距離通信プロトコルはＢｌｕｅｔｏｏｔｈ（登録商標）であってもよい。ディスプレイユニットは、ディスプレイユニットとマウントユニットとの間の安全な通信のために、Ｂｌｕｅｔｏｏｔｈプロトコルを用いてマウントユニットとペアリングすることができる。
【００９０】
通信ネットワークとのＲＦ通信のために、より長距離でより高出力のトランシーバ２０４が設けられる。マウントユニットのより長距離でより高出力のトランシーバ２０４によって用いられるより長距離でより高出力の通信プロトコルは、ＷＩＦＩ、ＷｉＭＡＸ、ＣＤＭＡ、ＧＳＭ、ＧＰＲＳ、無線ローカルループ又はＷＡＮであり得る。
【００９１】
ディスプレイ電源出力２０５は、各ディスプレイユニットのマウント電源入力１０８に電力を供給し、物理的な連結を含むことができ、代替的には誘導連結を用いることができる。電源入力２０６は、電源接続からマウントユニットに及びディスプレイ電源出力２０５に電力を供給する。
【００９２】
マウントユニットは、付随のディスプレイドライバ２０８を備えた内蔵型ディスプレイスクリーン２０９を任意で含むことができる。
【００９３】
マウントユニットがポータブル構成で電源に接続されていない場合に、電子機器に電力を供給するためにバッテリ２０７を設けることができる。バッテリ２０７は、電源が電源入力２０６に接続されていない場合に、ディスプレイ電源出力２０５に電力を供給できる。電源入力２０６は、マウントユニットが電源に接続されていない場合にバッテリ２０７を再充電するための電力を供給できる。
【００９４】
図３９は、情報の表示を制御するために、隣接（例えば、隣り合った）ディスプレイユニット１の近接を検出する複数のディスプレイユニット１を含む例示の電子ディスプレイ装置を示す概略図である。ディスプレイユニットは、例示のディスプレイ装置のいずれについても上述したディスプレイユニットを含むことができる。
【００９５】
図３９には、３つの連続動作で互いに隣接して置かれた一対のディスプレイユニット１を示す。一番上の構成では、一対のディスプレイユニットは、一式の情報のうちの連続した情報部分Ａ及びＢを表示する。例えば、情報部分は、一連の情報のうちの連続する部分、例えば、ライブラリ内の連続する画像又はテキストのページであり得る。ユーザーが次の連続する情報部分である部分Ｃを読むことを望む場合、ユーザーは、ディスプレイユニットの相対位置を切り替えるために、ディスプレイユニットのうちの１つを動かす。矢印が示すように、一対のディスプレイユニットの第２の構成に移る。ディスプレイユニット内の検出アレンジメントは、ディスプレイユニットの相対位置の変化を検出し、ディスプレイコントローラとして機能するプロセッサ１００は、右側のディスプレイユニットが情報部分Ｃを表示するように表示される情報部分を更新する。右側にあった情報部分Ｂを表示するディスプレイパネルは今は左側にある。
【００９６】
ユーザーが次の連続した情報部分である部分Ｄを読むことを望む場合、ユーザーは、ディスプレイユニットの相対位置を切り替えるために、ディスプレイユニットのうちの１つを動かす。矢印が示すように、一対のディスプレイユニットの第３の構成に移る。ディスプレイユニット内の検出アレンジメントは、ディスプレイユニットの相対位置の変化を検出し、ディスプレイコントローラとして機能するプロセッサ１００は、右側のディスプレイユニットが情報部Ｄを表示するように表示される情報部分を更新する。右側にあった情報部分Ｃを表示するディスプレイパネルは今は左側にある。
【００９７】
ディスプレイを切り替える操作は、ディスプレイユニットを左から右に動かすことにより、表示される情報部分を増分すること（incrementing）を示すが、逆の動作にも言える。表示される情報部分を減分（decrement）するために、ユーザーは、右側のディスプレイを左側のディスプレイの左に動かすことができる。そのため、図３７に示す矢印を逆にすることができる。増分又は減分動作の後のディスプレイユニットの相対位置の終了位置は同じであるため、ディスプレイユニットにおける検出アレンジメントは、その動作が情報部分の表示を増分する命令か又は減分する命令かを特定するために、ディスプレイユニットのうちのどちらが他方に対して動かされたかを検出する。例えば、左側のディスプレイユニットが持ち上げられて右側のディスプレイユニットに対して動かされた場合、これは左側のディスプレイユニットの検出アレンジメントによって検出することができ、左側のディスプレイユニットは表示される情報部分を例えば部分Ａから部分Ｃに増分するように制御できる。右側のディスプレイユニットが持ち上げられて左側のディスプレイユニットに対して動かされた場合、これは右側のディスプレイユニットの検出アレンジメントによって検出することができ、右側のディスプレイユニットは表示される情報部分を例えば部分Ｃから部分Ａに減分するように制御できる。
【００９８】
この例のディスプレイユニットは、軽量ディスプレイユニットであるため、ユーザーは、取り扱いに慣れた媒体である紙と同様の形で取り扱うことができる。そのため、２つのディスプレイユニットを隣り合わせで用いることは、２つのページが一度に示される開いた本又は雑誌と同様である。従来、次のページを見るために、ユーザーはページをめくる。この例では、ユーザーは、左側のディスプレイユニットを右側に又は右側のディスプレイユニットを左側に動かすことのうち、ユーザーが言語に応じて読む方向及びユーザーがより快適に感じる方でディスプレイユニットを「めくる」。
【００９９】
そのため、図３８に示す実施形態は、上述で説明及び図示したディスプレイユニットを用いる方法を含む。
【０１００】
図４０は、情報の表示を制御のために隣接するディスプレイユニットの近接を検出する複数のディスプレイユニットを含む別の例示の電子ディスプレイ装置を示す概略図である。
【０１０１】
この例では、ディスプレイユニット１の一方又は両方は、ディスプレイユニットの両面にディスプレイを有する両面ディスプレイユニットを含む。そのため、この例において、先の例で説明したページを「めくる」ことは、各構成にある右側のディスプレイユニットを動かす回転矢印及び矢印で示すように、本又は雑誌のページをめくるのと同様に、右側のディスプレイを持ち上げて回転させることにより強化される。
【０１０２】
一番上の構成では、一対のディスプレイユニットは、一式の情報のうちの連続する情報部分Ａ及びＢを表示する。例えば、情報部分はテキストの連続したページであり得る。ユーザーが次の連続する情報部分である部分Ｃを読むことを望む場合、ユーザーは、右側のディスプレイユニットを左側のディスプレイユニットの左側に動かして、一対のディスプレイユニットの第２の構成に移る矢印で示すように右側のディスプレイユニットをひっくり返す。ディスプレイユニット内の検出アレンジメントは、ディスプレイユニットの相対位置の変化を検出し、ディスプレイコントローラとして機能するプロセッサ１００は、左側のディスプレイユニットが情報部分Ｃを表示し、右側のディスプレイユニットが情報部分Ｄを表示するように表示される情報部分を更新する。この例では、２つの新たな情報部分、例えばテキストページが表示される。
【０１０３】
ユーザーが次の連続する情報部分である部分Ｅを読むことを望む場合、ユーザーは、右側のディスプレイユニットを左側のディスプレイユニットの左側に動かして、一対のディスプレイユニットの第３の構成に移る矢印で示すように右側のディスプレイユニットをひっくり返す。ディスプレイユニット内の検出アレンジメントは、ディスプレイユニットの相対位置の変化を検出し、ディスプレイコントローラとして機能するプロセッサ１００は、左側のディスプレイユニットが情報部分Ｅを表示し、右側のディスプレイユニットが情報部分Ｆを表示するように表示される情報部分を更新する。
【０１０４】
めくる動作と組み合わされた右側のディスプレイユニットの動きは、ユーザーに本又は雑誌のページをめくる直感的な感覚を提供する。
【０１０５】
この例では、例えば、左側のディスプレイユニットを持ち上げ、それを例えば反対方向に回転させることによって、図４０に示す反対動作により情報部分を減分させることもできる。
【０１０６】
この実施形態は、テキストの言語が左から右に読まれる例を示す。テキストの言語が右から左に読まれる場合は、操作が逆になる。
【０１０７】
そのため、図３９に示された実施形態は、上述及び図示したディスプレイユニットを用いる方法を含む。
【０１０８】
図４１〜図４３は、ライブラリ等の一連の画像中の画像又はテキストのページといった一連の情報部分のうちの連続する部分を表示するように操作される両面にディスプレイを有する両面ディスプレイユニットを示す概略図である。
【０１０９】
図４１では、情報部分の表示を増分するための一連の動作が示されている。ディスプレイユニットの第１のディスプレイは、先ず一方側のディスプレイに情報部分１を表示する。次いで、ディスプレイユニットが持ち上げられて、矢印で示すように第１の方向に回転又はひっくり返されると、ディスプレイユニットの第２のディスプレイは、それが今上側に向いていることを検出し、次の情報部分である部分２を表示する。次いで、ディスプレイユニットが持ち上げられて、矢印で示すように第１の方向に再度回転又はひっくり返されると、ディスプレイユニットの第１のディスプレイは、それが今上側に向いていることを検出し、次の情報部分である部分３を表示する。
【０１１０】
図４２では、情報部分の表示を減分するための一連の動作が示されている。ディスプレイユニットの第１のディスプレイは先ず一方側のディスプレイに情報部分３を表示する。次いで、ディスプレイユニットが持ち上げられて、矢印で示すように第２の方向に回転又はひっくり返されると、ディスプレイユニットの第２のディスプレイは、それが今上側に向いていることを検出し、前の情報部分である部分２を表示する。次いで、ディスプレイユニットが持ち上げられて、矢印で示すように第２の方向に再度回転又はひっくり返されると、ディスプレイユニットの第１のディスプレイは、それが今上側に向いていることを検出し、前の情報部分である部分１を表示する。
【０１１１】
図４３では、情報部分の表示を増分及び減分するための一連の動作が示されている。ディスプレイユニットの第１のディスプレイは先ず一方側のディスプレイに情報部分１を表示する。次いで、ディスプレイユニットが持ち上げられて、矢印で示すように第１の方向に回転又はひっくり返されると、ディスプレイユニットの第２のディスプレイは、それが今上側に向いていることを検出し、次の情報部分である部分２を表示する。次いで、ディスプレイユニットが持ち上げられて、矢印で示すように第２の方向に再度回転又はひっくり返されると、ディスプレイユニットの第１のディスプレイは、それが今上側に向いていることを検出し、前の情報部分である部分１を表示する。
【０１１２】
両面ディスプレイユニットのこの操作は、本のページをめくるのと同様の直感的な読む動作を提供する。
【０１１３】
そのため、図４１〜図４３に示された実施形態は、上述及び図示したディスプレイユニットを用いる方法を含む。
【０１１４】
図４４は、図４０〜図４２を参照して上述した例において用いられる例示のディスプレイユニットの電子部品を示す概略図である。
【０１１５】
プロセッサ３００は、プロセッサによって使用されるオペレーティングシステムコード等のコードを記憶するとともに、不揮発的にデータを記憶するスタティックメモリ１０２に接続されている。アプリケーションコード及び表示のためのデータ及び情報を記憶するために揮発性メモリ３０３が設けられる。向き検出器３０１は、ディスプレイユニットが回転された場合に向きの変化を検出するとともに、任意で回転の方向を検出して、表示される情報部分の増分及び減分の両方の変化を可能にするために設けられる。２つのディスプレイスクリーン３０５、３０６の制御のためにグラフィックスドライバ３０４が設けられる。２つのディスプレイスクリーン３０５、３０６は、表示された情報に応答するユーザー入力を提供するために、タッチスクリーンであってもよい。
【０１１６】
本実施形態の両面ディスプレイユニットは、前述の実施形態のいずれかのディスプレイユニットとして用いることができる。
【０１１７】
図４５は、例示の電子ディスプレイ装置による情報の通信を示す概略図である。
【０１１８】
この図は、インターネット又はローカルネットワーク等の通信ネットワークと通信中のディスプレイ装置の構成を示す。これは、上記のいずれの例のディスプレイ装置にも適用可能である。１つ以上のディスプレイユニット１(この例では２つのディスプレイユニット１)は、Ｂｌｕｅｔｏｏｔｈ（登録商標）等の低出力短距離通信プロトコルを用いてマウントユニット３００と通信する。範囲は１０ｍ未満に制限できる。マウントユニット３００は、セルラネットワークを介してＧＳＭ又はＧＰＲＳ等のより長距離でより高出力の通信プロトコルを使用してインターネット５００と、又はコンピュータネットワーク(インターネット５００であってもよい)との接続のためにＷＩＦＩを用いてルータ４００と通信できる。
【０１１９】
マウントユニットと高出力長距離伝送を用いることにより、複数のディスプレイユニットは同じ通信リンクを用いることができ、ディスプレイユニットはマウントユニットへの低出力短距離リンクを用いてディスプレイユニット１の電力消費要求を低減できる。
【０１２０】
上述した例のいずれにおいても、ディスプレイユニットは、例えば、フレキシブル、例えばＯＬＥＤ若しくはフレキシブルＬＥＤディスプレイ又は剛性ディスプレイ、例えばＬＥＤディスプレイ又はフレキシブルディスプレイ及び剛性ディスプレイの組み合わせであり得る。いずれのディスプレイユニットも、ユーザーがディスプレイユニットのプロセッサによる処理のための入力を提供する手段を提供するために（場合によっては、マウントユニットのプロセッサとの併用で）タッチパネルであってもよい。
【０１２１】
図面及び付随する説明は携帯型装置を図示及び説明するが、他の例では、マウント装置は、大型のコンピュータ又はデスクトップコンピュータ、ＣＮＣマシーン等の機械といった固定型の又は非携帯型の装置に固定されるか又はその一部であってもよく、例えば、自動車等の車両又は航空機に組み込まれて、マウント装置が固定され、ディスプレイユニットは使用のために取り外すことができる。例えば、乗客又は運転手若しくはパイロットは、ディスプレイユニットとのやり取りのために、ディスプレイユニットをマウントユニットから取り出すことができる。乗客は娯楽目的のために各ディスプレイユニットを用いることができるのに対して、運転手又はパイロットは車両制御又はモニタリングの目的のために各ディスプレイユニットを用いることができる。このような固定された構成では、マウントユニットから通信ネットワークへの通信は有線又は無線で行うことができる。無線の場合、無線トランシーバは、ディスプレイユニットとマウントユニットとの間の通信に用いられるトランシーバに比べてより高出力でより長距離のものとすることができる。
【０１２２】
マウントユニット又はフレームは持ち運び可能であってもよいが、固定装置と共に用いることができるか又は固定装置から分離可能で交換可能なように固定装置の一部であってもよい。そのため、ポータブルディスプレイ装置は、固定装置の一部として固定装置と連携し、持ち運びを容易にするために取り外すことができる。
【０１２３】
マウントが固定されているか又はその一部である固定構成では、装置は１つ以上の他の固定ディスプレイを含むことができる。
【０１２４】
記載された例のいずれにおいても、各ディスプレイユニットは独立して動作できるため、複数のディスプレイユニットを複数の人で用いることができる。そのため、複数のディスプレイユニットを含むマウントユニットは、マウントユニットから取り外すことができ、複数の人によって独立して又はネットワーク化された協調動作で使用可能なディスプレイユニットを提供できる。ディスプレイユニットは自身のメモリ及びプロセッサを有するため、情報及びデータを別々に且つ独立して記憶し且つ処理できる。また、ディスプレイユニットは保存された情報及びデータを共有できる。また、ディスプレイユニットは、マウントが固定されたＰＣ又はネットワーク上で遠隔的に接続されたプロセッサ等の外部プロセッサと情報を共有できる。
【０１２５】
上記の例におけるディスプレイユニットは、マウントユニットとは別に、タブレット型コンピュータ装置のように用いることができる。ディスプレイユニットはネットワークコンピュータ装置のように機能でき、コンピュータ／通信ネットワークに接続された他の装置にハブを介して低出力短距離通信リンク上で接続できる。
【０１２６】
上記の例において、ディスプレイユニットは、それらがマウントユニットに取り付けられた場合に充電可能であると説明した。別の例では、ディスプレイユニットは、マウントから独立して充電することもできる。例えば、ディスプレイユニットがマウント内にあるときに無線で充電される場合、それらは、マウントユニットから離れた別の無線充電パッドによって無線で充電され得る。無線ユニットを充電するために物理的な接続が用いられる場合、一つの例では、マウントユニットから離れてディスプレイユニットを充電するために必要な物理的な嵌合接続を有する別個の充電装置を設けることができる。
【０１２７】
上記の例のいずれかにおいても、ディスプレイユニットが両面にスクリーンを有する場合、ディスプレイユニットをひっくり返して両側の情報を見ることができる。同様に、もしマウントユニットがディスプレイユニットをスクリーンが見える状態で両側で保持できる場合、例えば、図３９〜図４１を参照して説明したように、マウントをひっくり返して両側の情報を見ることができる。
【０１２８】
マウントユニットは、特に、ディスプレイユニットがマウントユニット内に挿入されてマウントユニット内に収容された場合に、ディスプレイユニットを安全に保管し、物理的に保護するための構造を提供する。
【０１２９】
ディスプレイユニットは、ビデオ機能を提供するために、ウェブカメラとして一般に知られているカメラと、オーディオ出力のために１つ以上のラウドスピーカと、オーディオ入力のための１つ以上のマイクロホンとを含むことができる。
【０１３０】
説明した実施形態のいずれにおいても、ディスプレイユニットは、マウントユニット又はディスプレイフレーム構造から分離されたときに用いることができる。ディスプレイユニットは、マウントユニット又はディスプレイフレーム構造内にあるときにも用いることができる。マウントユニットのいずれの実施形態でも、マウントユニット内に取り付ける前に、少なくとも１つのディスプレイユニットをフレームに取り付けることができる。
【０１３１】
図１〜図３６、図３９〜図４３及び図４５の実施形態において、ディスプレイユニットを、矩形ユニットの形態の簡略化された概略図として示している。ディスプレイユニットは、ディスプレイ部分が前面又は前面及び後面の全体を構成するか又はディスプレイ部がフレームによって囲まれ得る任意の形態をとることができる。ディスプレイユニットは、剛性、可撓性、可鍛性又は折りたたみ可能な形態であってもよく、または複数のものが使用される場合には、剛性、可撓性、可鍛性又は折り畳み可能なディスプレイユニットの組み合わせであってもよい。
【０１３２】
前述の実施形態のいずれにおいても、マウントユニット、フレーム又はディスプレイユニットは、剛性、折り畳み可能、可撓性又は可鍛性であり得る。
【０１３３】
上述の実施形態では、ディスプレイユニットは、折り畳み可能でディスプレイユニット上で保持される例えばキーボード又は他のコンポーネントを含むことができ、キーボード又は他の折り畳みコンポーネントを備えるディスプレイユニットをマウントユニットに挿入できる。
一般化された実施形態
以下の番号が付された例は実施形態である。
【０１３４】
１）折り畳み可能なディスプレイ構造を形成するために、それぞれが互いにヒンジ連結された複数のディスプレイユニットであって、該ディスプレイユニットのそれぞれは、ユーザー入力能力を備えたディスプレイスクリーン、バッテリ及び無線トランシーバを含む、複数のディスプレイユニットと、マウントユニットであって、前記ディスプレイユニットが該マウントユニット内で折り畳まれた場合に、前記ディスプレイユニットを受容及び保持するように適合され、該マウントユニットは、前記ディスプレイユニットが前記マウントユニット内で受容及び保持された場合に、前記ディスプレイユニットのバッテリを再充電するように構成された電力アレンジメントと、前記ディスプレイユニットのそれぞれの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニット内から取り外し可能である、ディスプレイ装置。
【０１３５】
２）前記マウントユニットの第１の無線トランシーバ及び前記ディスプレイユニットのそれぞれの無線トランシーバは、短距離無線トランシーバである、例１に記載のディスプレイ装置。
【０１３６】
３）前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、例１又は２に記載のディスプレイ装置。
【０１３７】
４）ユーザー入力能力を備えた前記ディスプレイスクリーンは、タッチスクリーンディスプレイを含む、先行する例のいずれかに記載のディスプレイ装置。
【０１３８】
５）互いにヒンジ連結された少なくとも３つのディスプレイユニットを含み、該ディスプレイユニットは積み重ねた構成に折り畳み可能である、先行する例のいずれかに記載のディスプレイ装置。
【０１３９】
６）前記ディスプレイユニットは、交互に折り畳まれた構成に折り畳むことができる、例５に記載のディスプレイ装置。
【０１４０】
７）前記ディスプレイユニットは、着脱自在に互いに連結される、先行する例のいずれかに記載のディスプレイ装置。
【０１４１】
８）  前記マウントユニットは、前記マウントユニット内に前記ディスプレイユニットが収容されるように前記ディスプレイユニットを受容及保持するために、前記マウントユニットの側面に沿ってスロットを含む、先行する例のいずれかに記載のディスプレイ装置。
【０１４２】
９）前記ディスプレイ装置は携帯及びハンドヘルド型である、先行する例のいずれかに記載のディスプレイ装置。
【０１４３】
１０）前記ディスプレイユニットのうちの少なくとも１つはフレキシブルディスプレイユニットであり、前記マウントユニットは、前記少なくとも１つのフレキシブルディスプレイユニットが前記マウントユニット内で受容及び保持された場合に強固に支持するために剛性を有する、先行する例のいずれかに記載のディスプレイ装置。
【０１４４】
１１）前記ディスプレイユニットのうちの少なくとも１つは、前記ディスプレイユニットの一端に沿って、前記バッテリ、前記第１の無線トランシーバ、ディスプレイプロセッサ及び他の電子部品を剛性な構成で含む、例１１に記載のディスプレイ装置。
【０１４５】
１２）前記ディスプレイユニットのうちの少なくとも１つの少なくとも周縁部を受容及び保持するためのディスプレイフレーム構造を含み、該ディスプレイフレーム構造は、互いに及び/又は前記ディスプレイユニットのうちの少なくとも１つの他のディスプレイユニットにヒンジ接続されるように構成されている、例１乃至９のいずれか一項に記載のディスプレイ装置。
【０１４６】
１３）少なくとも１つのディスプレイユニットであって、ユーザー入力機能を備えたディスプレイスクリーン、バッテリ及び無線トランシーバを含む、少なくとも１つのディスプレイユニットと、前記ディスプレイユニットの少なくとも周縁部を受容及び支持するためのディスプレイフレーム構造と、マウントユニットであって、該マウントユニットは、該マウントユニット内で前記ディスプレイフレーム構造を受容及び保持するように構成され、該マウントユニットは、前記ディスプレイユニットが前記マウントユニット内で受容された場合に、前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニット内から取り外し可能である、ディスプレイ装置。
【０１４７】
１４）前記マウントユニットの第１の無線トランシーバ及び前記ディスプレイユニットの無線トランシーバは、短距離無線トランシーバである、例１３に記載のディスプレイ装置。
【０１４８】
１５）前記通信アレンジメントは、無線通信のための第２の無線トランシーバを含み、前記マウントユニットの第１の無線トランシーバ及び前記ディスプレイユニットの無線トランシーバは、前記第２の無線トランシーバよりも短距離のものである、例１３又は１４に記載のディスプレイ装置。
【０１４９】
１６）前記ディスプレイフレーム構造は複数のフレームを含み、各フレームは前記ディスプレイユニットを受容及び支持するためのものであり、折り畳み可能なフレーム構造を形成するために互いにヒンジ連結されている、例１３乃至１５のいずれか一項に記載のディスプレイ装置。
【０１５０】
１７）互いにヒンジ連結された少なくとも３つのディスプレイフレームを含み、該フレームは、前記マウントユニット内で受容及び保持されるように積み重ねた構成に折り畳むことができる、例１６に記載のディスプレイ装置。
【０１５１】
１８）前記フレームは、交互に折り畳まれた構成に折り畳むことができる、例１７に記載のディスプレイ装置。
【０１５２】
１９）前記フレームは、着脱自在に互いに連結されている、例１６乃至１８のいずれか一項に記載のディスプレイ装置。
【０１５３】
２０）前記マウントユニットは、前記マウントユニット内で前記ディスプレイフレーム構造を受容及び保持するために、前記マウントユニットの側面に沿ってスロットを含む、例１３乃至１９のいずれか一項に記載のディスプレイ装置。
【０１５４】
２１）前記ディスプレイフレーム構造は調節可能な取り付けアレンジメントを含み、該調節可能な取り付けアレンジメントは、少なくとも１つのサイズの異なるディスプレイユニットを内部に適合させるために調節可能である、例１３〜２０のいずれか一項に記載のディスプレイ装置。
【０１５５】
２２）前記少なくとも１つのディスプレイユニットのうちの少なくとも１つはフレキシブルディスプレイであり、前記ディスプレイフレーム構造は該フレキシブルディスプレイを支持して平坦な形状を維持する、例１３〜２１のいずれか一項に記載のディスプレイ装置。
【０１５６】
２３）複数のディスプレイユニットであって、該ディスプレイユニットのそれぞれは、ユーザー入力能力を備えたディスプレイスクリーン、バッテリ及び無線トランシーバを含む、複数のディスプレイユニットと、前記ディスプレイユニットのそれぞれの少なくとも周縁部を受容及び支持するためのディスプレイフレーム構造を含むマウントユニットであって、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニットから取り外し可能である、ディスプレイ装置。
【０１５７】
２４）前記マウントユニットの第１の無線トランシーバ及び前記ディスプレイユニットのそれぞれの無線トランシーバは、短距離無線トランシーバである、例２３に記載のディスプレイ装置。
【０１５８】
２５）前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、例２３又は２４に記載のディスプレイ装置。
【０１５９】
２６）前記ディスプレイフレーム構造は複数のフレームを含み、各フレームはディスプレイユニットを受容及び支持するためのものであり、折り畳み可能なフレーム構造を形成するために互いにヒンジ連結されている、例２３〜２５のいずれか一項に記載のディスプレイ装置。
【０１６０】
２７）互いにヒンジ連結された少なくとも３つのディスプレイフレームを含み、該フレームは、積み重ねた構成に折り畳むことができる、例２６に記載のディスプレイ装置。
【０１６１】
２８）前記フレームは、交互に折り畳まれた構成に折り畳むことができる、例２７に記載のディスプレイ装置。
【０１６２】
２９）前記フレームは、着脱自在に互いに連結されている、例２６〜２８のいずれか一項に記載のディスプレイ装置。
【０１６３】
３０）  前記ディスプレイフレーム構造は調節可能な取り付けアレンジメントを含み、該調節可能な取り付けアレンジメントは、サイズの異なるディスプレイユニットを内部に適合させるために調節可能である、例２３〜２９のいずれか一項に記載のディスプレイ装置。
【０１６４】
３１）前記少なくとも１つのディスプレイユニットのうちの少なくとも１つはフレキシブルディスプレイであり、前記ディスプレイフレーム構造は該フレキシブルディスプレイを支持して平坦な形状を維持する例２３〜３０のいずれか一項に記載のディスプレイ装置。
【０１６５】
３２）複数のディスプレイユニットであって、該ディスプレイユニットのそれぞれは、ユーザー入力能力を備えたディスプレイスクリーン、バッテリ及び無線トランシーバを含む、ディスプレイユニットと、ヒンジ領域と、該ヒンジ領域にヒンジ接続される複数のフレームとを含むマウントユニットであって、該フレームのそれぞれは、ディスプレイユニットを受容及び保持するように構成され、該マウントユニットは、前記ディスプレイユニットが該マウントユニットによって受容された場合に前記ディスプレイユニットのバッテリを再充電するように構成された電力アレンジメントと、前記ディスプレイユニットの無線トランシーバと通信するための第１の無線トランシーバと、通信ネットワークを介して通信するための通信アレンジメントとをさらに含む、マウントユニットと、を含むディスプレイ装置であって、前記ディスプレイユニットは、前記マウントユニットから分離して使用するために、前記マウントユニット内から取り外し可能である、ディスプレイ装置。
【０１６６】
３３）前記マウントユニットの第１の無線トランシーバ及び前記ディスプレイユニットのそれぞれの無線トランシーバは、短距離無線トランシーバである、例３２に記載のディスプレイ装置。
【０１６７】
３４）前記通信アレンジメントは、無線通信のための第２の無線トランシーバを含み、前記マウントユニットの第１の無線トランシーバ及び前記ディスプレイユニットのそれぞれの無線トランシーバは、前記第２の無線トランシーバよりも短距離のものである、例３２又は３３に記載のディスプレイ装置。
【０１６８】
３５）前記複数のフレームのうちの少なくとも１つは、サイズの異なるディスプレイユニットを内部に適合させるために調節可能である、例３２〜３４のいずれか一項に記載のディスプレイ装置。
【０１６９】
３６）前記少なくとも１つのディスプレイユニットのうちの少なくとも１つはフレキシブルディスプレイであり、前記フレームの少なくとも１つは該フレキシブルディスプレイを支持して平坦な形状を維持する、例３２〜３５のいずれか一項に記載のディスプレイ装置。
【０１７０】
３７）前記フレームのうちの少なくとも1つは、前記ヒンジ領域から取り外し可能である、例３２乃至３６のいずれか一項に記載のディスプレイ装置。
【０１７１】
３８）少なくとも１つのディスプレイユニットであって、該ディスプレイユニットは、ユーザー入力能力を備えたディスプレイスクリーン、バッテリ及び無線トランシーバを含む、少なくとも１つのディスプレイユニットと、マウントユニットであって、該マウントユニットは内部に収容された前記ディスプレイユニットを受容及び保持し、該マウントユニットは、前記少なくとも１つのディスプレイユニットが該マウントユニットに収容されて受容及び保持された場合に前記ディスプレイユニットのバッテリを再充電するように構成された電力アレンジメントと、前記少なくとも１つのディスプレイユニットの無線トランシーバと通信するための第１の無線トランシーバと、通信ネットワークを介して通信するための通信アレンジメントとをさらに含む、マウントユニットと、を含むディスプレイ装置であって、前記少なくとも１つのディスプレイユニットは、前記マウントユニットから分離して使用するために、前記マウントユニット内から取り外し可能である、ディスプレイ装置。
【０１７２】
３９）前記マウントユニットは、前記マウントユニット内に前記ディスプレイユニットを挿入のために、前記マウントユニットの側面に沿って少なくとも１つのスロットを含む、例３８に記載のディスプレイ装置。
【０１７３】
４０）前記マウントユニットは第１のパーツ及び第２のパーツを含み、該第１のパーツ及び該第２のパーツは、前記ディスプレイユニットを前記マウントユニット内に挿入するために分離可能である、例３８に記載のディスプレイ装置。
【０１７４】
４１）前記マウントユニットの第１の無線トランシーバ及び前記ディスプレイユニットの無線トランシーバは、短距離無線トランシーバである、例３８乃至４０のいずれか一項に記載のディスプレイ装置。
【０１７５】
４２）前記通信アレンジメントは、無線通信のための第２の無線トランシーバを含み、前記マウントユニットの第１の無線トランシーバ及び前記ディスプレイユニットの無線トランシーバは、前記第２の無線トランシーバよりも短距離のものである、例３８乃至４１のいずれか一項に記載のディスプレイ装置。
【０１７６】
４３）前記ディスプレイ装置は携帯及びハンドヘルド型である、請求項３８乃至４２のいずれか一項に記載のディスプレイ装置。
【０１７７】
４４）前記マウントユニットは、内部に収容された前記少なくとも１つのディスプレイユニットを排出する排出機構を含む、例３８乃至４３のいずれか一項に記載のディスプレイ装置。
【０１７８】
４５）前記少なくとも１つのディスプレイユニットのうちの少なくとも１つの少なくとも周縁部を受容及び保持するためのディスプレイフレーム構造を含む、例３８乃至４４のいずれか一項に記載のディスプレイ装置。
【０１７９】
４６）前記ディスプレイフレーム構造は少なくとも１つのフレームを含み、該フレームは、各ディスプレイユニットを支持するためのものである、例４５に記載のディスプレイ装置。
【０１８０】
４７）前記ディスプレイフレーム構造は調節可能な取り付けアレンジメントを含み、該調節可能な取り付けアレンジメントは、異なるサイズのディスプレイユニットを内部に適合させるために調節可能である、例４５又は４６に記載のディスプレイ装置。
【０１８１】
４８）前記少なくとも１つのディスプレイユニットのうちの少なくとも１つはフレキシブルディスプレイであり、前記少なくとも１つのディスプレイフレームのうちの１つは各フレキシブルディスプレイを支持して平坦な形状を維持する、例４６に記載のディスプレイ装置。
【０１８２】
４９）ディスプレイ装置であって、当該ディスプレイ装置は複数のディスプレイユニットを含み、該ディスプレイユニットのそれぞれは、少なくとも１つの他のディスプレイが隣接して配置された場合に検出する検出器アレンジメントと、少なくとも１つの隣接するディスプレイユニットにディスプレイ同期情報を通信する無線トランシーバと、前記ディスプレイユニットを制御して、連続する情報部分を含む情報を表示させ、前記隣接するディスプレイユニットに連続する情報部分として情報部分を表示させるように構成されたディスプレイコントローラと、を含む、ディスプレイ装置。
【０１８３】
５０）前記ディスプレイユニットのそれぞれの検出器アレンジメントは、前記ディスプレイユニットに対して隣接するディスプレイユニットが隣接して再配置されたことを検出するように構成され、前記ディスプレイコントローラは、前記ディスプレイユニットを制御して情報部分を表示させ、隣接するディスプレイユニットに情報を増分又は減分された連続する情報部分として表示させるように構成されている、例４９に記載のディスプレイ装置。
【０１８４】
５１）２つのディスプレイユニットを含む、例４９又は５０に記載のディスプレイ装置。
【０１８５】
５２）前記ディスプレイユニットは隣り合って位置し、第１のディスプレイユニットが第２のディスプレイユニットの一方側から該第２のディスプレイユニットの反対側に動かされた場合、該第１のディスプレイユニットのディスプレイコントローラは該第１のディスプレイユニットを制御して、前記表示されている情報部分を、該第２のディスプレイユニットによって表示されている情報部分に先行する情報部分から、該第２のディスプレイユニットによって表示されている情報部分に続く情報部分に変更するように構成されている、例４９乃至５２のいずれか一項に記載のディスプレイ装置。
【０１８６】
５３）前記ディスプレイユニットは隣り合って位置し、第１のディスプレイユニットが第２のディスプレイユニットの一方側から該第２のディスプレイユニットの反対側に動かされた場合、該第２のディスプレイユニットのディスプレイコントローラは該第２のディスプレイユニットを制御して、前記連続する情報部分のうちの表示されている情報部分を増分するように構成され、該第１のディスプレイユニットのディスプレイコントローラは、該第１のディスプレイユニットを制御して、前記表示されている情報を、該第２のディスプレイユニットによって表示されている増分された情報部分に続く情報部分に変更するように構成されている、例４９乃至５１のいずれか一項に記載のディスプレイ装置。
【０１８７】
５４）前記ディスプレイユニットのうちの少なくとも１つは両面型であり、該両面ディスプレイユニットの両面のうちのいずれかの上側を向いた面で情報を表示するように構成され、前記ディスプレイユニットのうちの前記少なくとも１つは、前記ディスプレイユニットの上側を向いた面が変化したことを検出する検出アレンジメントを含み、前記少なくとも１つの両面ディスプレイユニットのディスプレイコントローラは、前記検出アレンジメントによる検出に対応して、前記両面ディスプレイユニットを制御し増分又は減分された情報部分を表示させるように構成されている、例４９乃至５１のいずれか一項に記載のディスプレイ装置。
【０１８８】
５５）前記ディスプレイユニットは隣り合って位置し、第２の両面ディスプレイユニットが第１のディスプレイユニットの一方側から該第１のディスプレイユニットの反対側に動かされてひっくり返されると、前記第２のディスプレイユニットのディスプレイコントローラは前記第２のディスプレイユニットを制御して上側を向いた面に、他方の面で表示されていた情報部分に続く情報部分を表示させるように構成され、前記第１のディスプレイユニットのディスプレイコントローラは、表示されている情報部分を、前記第２のディスプレイユニットによって表示されている情報部分に先行する情報部分から、前記第２のディスプレイユニットによって現在表示されている情報部分に続く情報部分に変更するように構成されている、例５４に記載のディスプレイ装置。
【０１８９】
５６）ディスプレイコントローラは、前記ディスプレイユニットを制御して、隣接するディスプレイユニット上で連続するページの情報を表示させるように構成されている、例４９乃至５５のいずれか一項に記載のディスプレイ装置。
【０１９０】
５７）ディスプレイユニットであって、第１の面にある第１のディスプレイと、第２の面にある第２のディスプレイと、前記第１のディスプレイ又は前記第２のディスプレイが上側を向くように当該ディスプレイユニットがひっくり返されたことを検出する検出アレンジメントと、前記検出アレンジメントの検出に対応して、前記第１のディスプレイ及び前記第２のディスプレイを制御して、前記第１のディスプレイ又は前記第２のディスプレイが上側を向いている場合に連続する情報部分の第１の情報部分を前記第１のディスプレイ又は第２のディスプレイのうちの一方に表示させ、前記第１の情報部分に対して増分又は減分された第２の情報部分を前記第１のディスプレイ及び前記第２のディスプレイのうちの他方に表示させるディスプレイコントローラと、を含む、ディスプレイユニット。
【０１９１】
５８）前記検出ユニットは、前記ディスプレイユニットの回転される方向を検出するように構成され、前記ディスプレイコントローラは、第１の方向に回転されたことを前記検出ユニットが検出した場合に増分された前記第２の部分を表示させ、第２の方向に回転されたことを前記検出ユニットが検出した場合に減分された前記第２の部分を表示させるように構成されている、例５７に記載のディスプレイユニット。
【０１９２】
５９）前記第１の方向及び第２の方向は反対方向である、例５８に記載のディスプレイユニット。
【０１９３】
添付の特許請求の範囲に示す本発明の主題の原理及び範囲から逸脱することなく、当業者であれば、本発明の主題の本質を説明するために記載及び図示してきた部品及び方法のステップの詳細、材料及び配置に種々の他の変更が加えられ得ることが容易に分かる。
【図１】
2021509182.tif 000003
【図２】
2021509182.tif 000004
【図３】
2021509182.tif 000005
【図４】
2021509182.tif 000006
【図５】
2021509182.tif 000007
【図６】
2021509182.tif 000008
【図７】
2021509182.tif 000009
【図８】
2021509182.tif 000010
【図９】
2021509182.tif 000011
【図１０】
2021509182.tif 000012
【図１１】
2021509182.tif 000013
【図１２】
2021509182.tif 000014
【図１３】
2021509182.tif 000015
【図１４】
2021509182.tif 000016
【図１５】
2021509182.tif 000017
【図１６】
2021509182.tif 000018
【図１７】
2021509182.tif 000019
【図１８】
2021509182.tif 000020
【図１９】
2021509182.tif 000021
【図２０】
2021509182.tif 000022
【図２１】
2021509182.tif 000023
【図２２】
2021509182.tif 000024
【図２３】
2021509182.tif 000025
【図２４】
2021509182.tif 000026
【図２５】
2021509182.tif 000027
【図２６】
2021509182.tif 000028
【図２７】
2021509182.tif 000029
【図２８】
2021509182.tif 000030
【図２９】
2021509182.tif 000031
【図３０】
2021509182.tif 000032
【図３１】
2021509182.tif 000033
【図３２】
2021509182.tif 000034
【図３３】
2021509182.tif 000035
【図３４】
2021509182.tif 000036
【図３５】
2021509182.tif 000037
【図３６】
2021509182.tif 000038
【図３７】
2021509182.tif 000039
【図３８】
2021509182.tif 000040
【図３９】
2021509182.tif 000041
【図４０】
2021509182.tif 000042
【図４１】
2021509182.tif 000043
【図４２】
2021509182.tif 000044
【図４３】
2021509182.tif 000045
【図４４】
2021509182.tif 000046
【図４５】
2021509182.tif 000047
【国際調査報告】
2021509182.tif 000048
2021509182.tif 000049
2021509182.tif 000050
2021509182.tif 000051
2021509182.tif 000052
2021509182.tif 000053